(57)【特許請求の範囲】
【請求項１】
第１の波長を有する光ビームにより読み出しあるいは書き込みがなされる第１の記録層および第２の記録層と、上記第１の波長より短い第２の波長を有する光ビームにより読み出しあるいは書き込みがなされる第３の記録層とを備え、上記三つの記録層は上記光ビームの入射側から第１の記録層、第３の記録層、第２の記録層の順に配置される複合光記録媒体に対して、情報を記録あるいは再生するための光ピックアップであって、
上記第１の波長を有する光ビームを出射する光源と、
上記第２の波長を有する光ビームを出射する光源と、
上記第１の波長を有する光ビーム、および、上記第２の波長を有する光ビームを集光する対物レンズを備え、
上記複合光記録媒体の光の入射側表面から各記録層までの厚みを、その記録層に対する保護層の厚みとする場合、
上記対物レンズにおける、上記第１の波長に対し球面収差を最小にする仮想的な保護層の厚みは、上記複合光記録媒体における上記第１の記録層に対する保護層の厚みより大きく、上記複合光記録媒体における上記第２の記録層に対する保護層の厚みより小さく、
上記対物レンズにおける、上記第２の波長に対し球面収差を最小にする仮想的な保護層の厚みは、上記複合光記録媒体における上記第１の記録層に対する保護層の厚みより大きく、上記複合光記録媒体における上記第２の記録層に対する保護層の厚みより小さいことを特徴とする光ピックアップ。
【請求項２】
上記対物レンズは、上記第１の波長に対し球面収差を最小にする仮想的な保護層の厚みと、上記第２の波長に対し球面収差を最小にする仮想的な保護層の厚みとが同一である対物レンズであり、
上記対物レンズにおける、球面収差を最小にする仮想的な保護層の厚みは、上記複合光記録媒体における光ビームが入射する面から第３の記録層までの距離と同一であることを特徴とする請求項１に記載の光ピックアップ。
【請求項３】
第１の波長を有する光ビームにより読み出し、あるいは、書き込みがなされる第１の記録層、および、第２の記録層と、上記第１の波長より短い第２の波長を有する光ビームにより読み出し、あるいは、書き込みがなされる第３の記録層、および、第４の記録層と、を備え、上記四つの記録層は、上記光ビームの入射側から第１の記録層、第３の記録層、第４の記録層、第２の記録層の順に、配置される複合光記録媒体に対して、情報を記録あるいは再生するための光ピックアップであって、
上記第１の波長を有する光ビームを出射する光源と、
上記第２の波長を有する光ビームを出射する光源と、
上記第１の波長を有する光ビーム、および、上記第２の波長を有する光ビームを集光する対物レンズを備え、
上記複合光記録媒体の光の入射側表面から各記録層までの厚みを、その記録層に対する保護層の厚みとする場合、
上記対物レンズにおける、上記第１の波長に対し球面収差を最小にする仮想的な保護層の厚みは、上記複合光記録媒体における上記第１の記録層に対する保護層の厚みより大きく、上記複合光記録媒体における上記第２の記録層に対する保護層の厚みより小さく、
上記対物レンズにおける、上記第２の波長に対し球面収差を最小にする仮想的な保護層の厚みは、上記複合光記録媒体における上記第３の記録層に対する保護層の厚みより大きく、上記複合光記録媒体における上記第４の記録層に対する保護層の厚みより小さいことを特徴とする光ピックアップ。
【請求項４】
上記対物レンズにおける、上記第１の波長に対し球面収差を最小にする仮想的な保護層の厚みは、上記複合光記録媒体における上記第３の記録層に対する保護層の厚みより大きく、上記複合光記録媒体における上記第４の記録層に対する保護層の厚みより小さいことを特徴とする請求項３に記載の光ピックアップ。
【請求項５】
上記対物レンズは、上記第１の波長に対し球面収差を最小にする仮想的な保護層の厚みと、上記第２の波長に対し球面収差を最小にする仮想的な保護層の厚みとが同一である対物レンズであり、
上記対物レンズにおける、球面収差を最小にする仮想的な保護層の厚みは、上記複合光記録媒体における第３の記録層に対する保護層の厚みと、上記複合光記録媒体における第４の記録層に対する保護層の厚みとの平均値と同一であることを特徴とする請求項３に記載の光ピックアップ。
【請求項６】
第１の波長を有する光ビームにより読み出し、あるいは、書き込みがなされる第１の記録層、および、第２の記録層と、上記第１の波長より短い第２の波長を有する光ビームにより読み出し、あるいは、書き込みがなされる第３の記録層と、を備え、上記三つの記録層は、上記光ビームの入射側から第１の記録層、第３の記録層、第２の記録層の順に、配置される複合光記録媒体に対して、上記第１の波長を有する光ビームと上記第２の波長を有する光ビームとにより情報の記録あるいは再生をする光ピックアップであって、
上記第１の波長を有する光ビーム、および、上記第２の波長を有する光ビームを集光する対物レンズを備え、
上記複合光記録媒体の光の入射側表面から各記録層までの厚みを、その記録層に対する保護層の厚みとする場合、
上記対物レンズにおける、上記第１の波長に対し球面収差を最小にする仮想的な保護層の厚みは、上記複合光記録媒体における上記第１の記録層に対する保護層の厚みより大きく、上記複合光記録媒体における上記第２の記録層に対する保護層の厚みより小さく、
上記対物レンズにおける、上記第２の波長に対し球面収差を最小にする仮想的な保護層の厚みは、上記複合光記録媒体における上記第１の記録層に対する保護層の厚みより大きく、上記複合光記録媒体における上記第２の記録層に対する保護層の厚みより小さいことを特徴とする光ピックアップ。
【請求項７】
第１の波長を有する光ビームにより読み出し、あるいは、書き込みがなされる第１の記録層、および、第２の記録層と、上記第１の波長より短い第２の波長を有する光ビームにより読み出し、あるいは、書き込みがなされる第３の記録層、および、第４の記録層と、を備え、上記四つの記録層は、上記光ビームの入射側から第１の記録層、第３の記録層、第４の記録層、第２の記録層の順に、配置される複合光記録媒体に対して、上記第１の波長を有する光ビームと上記第２の波長を有する光ビームとにより情報の記録あるいは再生をする光ピックアップであって、
上記第１の波長を有する光ビーム、および、上記第２の波長を有する光ビームを集光する対物レンズを備え、
上記複合光記録媒体の光の入射側表面から各記録層までの厚みを、その記録層に対する保護層の厚みとする場合、
上記対物レンズにおける、上記第１の波長に対し球面収差を最小にする仮想的な保護層の厚みは、上記複合光記録媒体における上記第１の記録層に対する保護層の厚みより大きく、上記複合光記録媒体における上記第２の記録層に対する保護層の厚みより小さく、
上記対物レンズにおける、上記第２の波長に対し球面収差を最小にする仮想的な保護層の厚みは、上記複合光記録媒体における上記第３の記録層に対する保護層の厚みより大きく、上記複合光記録媒体における上記第４の記録層に対する保護層の厚みより小さいことを特徴とする光ピックアップ。
【請求項８】
上記複合光記録媒体における上記三つの記録層は、上記第１の記録層と上記第３の記録層との距離と、上記第２の記録層と上記第３の記録層との距離と、が等しくなるように配置されていることを特徴とする請求項１，２、および６の何れか１項に記載の光ピックアップ。
【請求項９】
上記複合光記録媒体における上記四つの記録層は、上記第１の記録層と上記第３の記録層との距離と、上記第２の記録層と上記第４の記録層との距離と、が等しくなるように配置されていることを特徴とする請求項３，４，５、および７の何れか１項に記載の光ピックアップ。
【請求項１０】
上記第１の記録層の上記光ビームが入射する側に配置された保護層と、
上記第２の記録層の上記光ビームが入射する側とは反対側に配置された基板を備え、
上記第１の記録層の上記光ビームが入射する側に配置された上記保護層と上記基板の厚みとは同一であることを特徴とする請求項１ないし９の何れか１項に記載の光ピックアップ。
【請求項１１】
請求項１，２，６，および８の何れか１項に記載の光ピックアップを備えたことを特徴とする光記録再生装置。
【請求項１２】
光記録媒体が装着された時に、第１の波長の光ビームを用いて、該光記録媒体の厚さ方向の全体にわたるフォーカスエラー信号を生成し、
上記フォーカスエラー信号における信号のピークレベルがある閾値以上となる回数と、閾値以下となる回数とをカウントし、双方の数がともに１以上であるか否かにより、装着された光記録媒体が複合光記録媒体であるか否かを判別することを特徴とする請求項１１に記載の光記録再生装置。
【請求項１３】
上記第３の記録層は、上記第１の波長に対する反射率が上記第２の波長に対する反射率よりも小さい、波長選択性を有する反射膜により構成されることを特徴とする請求項１２に記載の光記録再生装置。
【請求項１４】
請求項３，４，５，７、および９の何れか１項に記載の光ピックアップを備えたことを特徴とする光記録再生装置。
【請求項１５】
光記録媒体が装着された時に、第１の波長の光ビームを用いて、該光記録媒体の厚さ方向の全体にわたるフォーカスエラー信号を生成し、
上記フォーカスエラー信号における信号のピークレベルがある閾値以上となる回数と、閾値以下となる回数とをカウントし、双方の数がともに１以上であるか否かにより、装着された光記録媒体が複合光記録媒体であるか否かを判別することを特徴とする請求項１４に記載の光記録再生装置。
【請求項１６】
上記第３の記録層および上記第４の記録層は、上記第１の波長に対する反射率が上記第２の波長に対する反射率よりも小さい、波長選択性を有する反射膜により構成されることを特徴とする請求項１５に記載の光記録再生装置。
【発明の詳細な説明】
【技術分野】
【０００１】
本発明は、異なる波長に対応する複数の記録層を備えた複合光記録媒体に関するものである。
【背景技術】
【０００２】
光記録媒体に関して、記録容量の増大に対するユーザーの期待は大きく、各社ともに盛んに技術開発を行っている。
【０００３】
光記録媒体の記録容量を増大させる方法の一つに、該光記録媒体に備えられた記録層の記録密度を向上させる方法がある。記録層の記録密度の向上は、光記録媒体に情報を記録するために、記録層に書き込まれる記録マークのサイズを小さくすることにより可能となる。記録マークは、記録層に光ビームを照射することにより書き込まれるが、小さな記録マークを書き込むためには、記録層上に集光された光ビームのスポット径を小さくする必要がある。記録層上に集光された光ビームのスポット径は、光ビームを集光する対物レンズの開口数（ＮＡ：Numerical Aperture）に比例し、光ビームの波長に反比例する。そこで、光ピックアップに備えられた対物レンズの開口数を大きくし、また光ピックアップに備えられ光源から放射する光ビームの波長を短くする工夫により、高い記録密度を持つ大容量光記録媒体が実現されてきた。
【０００４】
また、光記録媒体の記録容量を増大させる別の方法として、一つの光記録媒体に、複数の記録層を備える方法がある。例えば、一つの記録層を備えた光記録媒体に比べ、二つの記録層を備えた光記録媒体では、原理的には２倍の記録容量を得ることができる。記録再生の余白を考慮し、一つの記録層を備えた光記録媒体の１．５から２倍の記録容量を持つ、二つの記録層を備えた光記録媒体が商品化されている。
【０００５】
既に商品化されている光記録媒体の例を表１に示した。表１からも分かるように、記録密度の向上により大容量化を実現した光記録媒体、あるいは、複数の記録層を備えることにより大容量化を実現した光記録媒体など、様々な種類の大容量光記録媒体が既に商品化されている。
【０００６】
【表１】
0004447574.tif 000002
【０００７】
光記録媒体の大容量化に伴い、上述のように、複数の種類の光記録媒体が商品化されている一方、光記録媒体に情報を記録、あるいは、光記録媒体に記録された情報を再生する光記録再生装置においては、光記録再生装置ごとに対応できる光記録媒体の種類が限定されており、これに起因する互換性の問題が避けられなかった。特に、新しい種類の光記録媒体が商品化された場合、既に発売されていた光記録再生装置では、該光記録媒体に情報を記録、あるいは、該光記憶媒体に記録された情報を再生できないという問題が生じていた。
【０００８】
上述の光記録媒体と光記録再生装置との間の互換性の問題を解消するために、種類の異なる複数の記録層を一つの光記録媒体の内に備えた、いわゆる複合光記録媒体が商品化されてきた。既に商品化されている複合光記録媒体の例を表２に示した。
【０００９】
【表２】
0004447574.tif 000003
【００１０】
表２に示された複合光記録媒体は、ＤＶＤに対応した記録層とＣＤに対応した記録層とを備え、該複合光記録媒体に片面から入射される光により、前記二つの記録層を独立に読み出すことのできる、いわゆる片面読み出しタイプの複合光記録媒体である。該複合光記録媒体は、ＤＶＤに対応した記録層とＣＤに対応した記録層との両方を備えているため、一つの音楽情報を、二つの異なる音質で記録することが可能である。従って、ＣＤにのみ対応した光記録再生装置を所有するユーザーが、該複合光記録媒体を購入したとしても、該ユーザーがＤＶＤに対応した光記録再生装置を将来購入した場合、該複合光記録媒体に記録された音質の良いＤＶＤの音楽を再生することが可能である。また、ＣＤのみに対応した光記録再生装置と、ＤＶＤのみに対応した光記録再生装置との両方を所有するユーザーであれば、音質の差はあるものの、それぞれの光記録再生装置において同じ音楽情報を再生することが可能である。
【００１１】
今後、様々な種類の光記録媒体が商品化されるのに伴い、これらを複合した多様な複合光記録媒体の登場が望まれている。例えば、一層のＨＤ−ＤＶＤ層と一層のＤＶＤとを備えた複合光記録媒体などが報告されている（非特許文献１）。
【非特許文献１】”ディスクの片面からＨＤ ＤＶＤとＤＶＤを再生できる２層ディスクの開発について”、（online）、２００４年１２月７日、東芝、（２００５年５月１８日検索）、インターネット＜ＵＲＬ：http://www.toshiba.co.jp/about/press/2004_12/pr_j0701.htm＞
【発明の開示】
【発明が解決しようとする課題】
【００１２】
しかしながら、上記複合光記録媒体では、光ビームが記録層上に集光されるまでに透過する保護層の厚み（以下、保護層の厚み、と略記する）が、記録層ごとに異なる。このため、複合光記録媒体に備えられた複数の記録層上に記録マークを書き込む、あるいは、記録マークを読み出すにあたって、光ピックアップに備えられる対物レンズを、共有化することは困難であった。これはすなわち、複数の記録層に対して単一の対物レンズを用いる場合、全ての記録層において球面収差の発生量を許容値以下に抑えることは困難なためである。
【００１３】
上記球面収差の問題に関して、さらに詳しく説明すれば、以下の通りである。
【００１４】
光記録再生装置に備えられた光ピックアップには、該光ピックアップに備えられた光源から放射される光ビームを光記録媒体の記録層上に集光するための対物レンズが備えられている。
【００１５】
上記対物レンズは、ある厚みの保護層を想定した上で設計され、その厚みの保護層を透過した集光ビームの集光スポットにおける球面収差の大きさが設計指標とされる。すなわち、上記対物レンズは、該対物レンズにより集光された光ビームが、想定された厚みを持つ保護層を透過し、集光スポットに集光されるとき、該集光スポットにおける球面収差が最小になるよう設計されている。ここで言うところの対物レンズ設計とは、対物レンズを構成する材料の選定、レンズ面の面形状の決定、レンズ面の距離などのことである。
【００１６】
換言すれば、上記対物レンズにより集光された光ビームが、該対物レンズの設計により定まる球面収差を最小にする保護層の厚みとは異なる厚みを有する保護層を透過して記録層上に集光された場合、該記録層上において球面収差が発生する。対物レンズの設計時に想定された球面収差を最小にする保護層の厚みと、該対物レンズにより集光された光ビームが記録層上に集光されるまでに実際に透過する保護層の厚みとの差（以下、保護層の厚み誤差、と略記する）が大きいほど、該記録層における球面収差は大きくなる。
【００１７】
球面収差が大きくなると、集光スポットにおける光ビームの強度が不足する。このため、記録層上で発生する球面収差が許容値を超えると、該記録層の再生時には、再生信号の振幅が低下するという問題が生じ、また、該記録層への記録時には、記録マークの形成が困難になるという問題が生じる。
【００１８】
従って、光ピックアップには、該光ピックアップにより記録あるいは再生しようとする記録層における球面収差の発生量が許容値以下になるよう、該光記録媒体における保護層の厚みに対応した対物レンズを備えることが必要になる。
【００１９】
ところが、複数の光記録媒体を複合させた複合光記録媒体においては、一つの光記録媒体の中に複数の記録層が混在し、光ピックアップから放射された光ビームが記録層上に集光されるまでに透過する保護層の厚みが記録層ごとに異なる。従って、いかなる厚みの保護層を想定して設計した対物レンズを用いても、対物レンズにより定まる球面収差を最小にする保護層の厚みとは異なる保護層の厚みを有する記録層において、保護層の厚み誤差が生じる。そして、保護層の厚み誤差が生じる記録層においては、球面収差が発生する。
【００２０】
複合光記録媒体に備えられる記録層の数が増えるほど、該複合光記録媒体に備えられた保護層の厚みのばらつきは大きくなる。すなわち、該複合光記録媒体に備えられる全ての記録層において、球面収差の発生量を許容値以下に抑えることは困難になる。
【００２１】
また、複合光記録媒体に備えられた記録層に記録マークを書き込む、あるいは、該記録マークを読み出すための光ビームの波長が短いほど、保護層の厚み誤差に対する球面収差の発生量が大きくなる。すなわち、小さな記録マークを書き込むために、短い波長を有する光ビームを用いる必要がある高密度記録層を備えた複合光記録媒体においては、球面収差の発生量を許容値以下に抑えることがさらに困難になる。
【００２２】
上記球面収差の問題を解決するためには、光ピックアップに、該複合光記録媒体に備えられた複数の記録層に対応する複数の対物レンズを備えることも可能である。しかしながら、光ピックアップに複数の対物レンズを備える場合、光ピックアップの複雑化、および、光ピックアップの製造コストの増加という問題が新たに生じる。
【００２３】
本発明は、上記の課題に鑑みてなされたものであり、その目的は、単一の対物レンズが備えられた光ピックアップにより、情報の記録あるいは再生が可能な複合光記録媒体を実現することであり、同時に、上記複合光記録媒体への情報の記録、あるいは、上記複合光記録媒体に記録された情報の再生が可能な光ピックアップを提供することにある。
【課題を解決するための手段】
【００２４】
本発明に係る複合光記録媒体は、上記課題を解決するために、第１の波長を有する光ビームにより読み出し、あるいは、書き込みがなされる第１の記録層、および、第２の記録層と、上記第１の波長より短い第２の波長を有する光ビームにより読み出し、あるいは、書き込みがなされる第３の記録層と、を備え、上記三つ記録層は、上記光ビームの入射側から第１の記録層、第３の記録層、第２の記録層の順に、配置されることを特徴としている。
【００２５】
上述したとおり、単一の対物レンズを備える光ピックアップにより、複合光記録媒体に備えられた複数の記録層に対し読み出し、あるいは、書き込みが行われる場合、該複合光記録媒体の光ビームが入射する表面からの距離が、該対物レンズ設計時に決定される球面収差を最小にする保護層の厚み、とは異なる記録層において、球面収差の発生は避けられない。
【００２６】
保護層の厚み誤差に対する球面収差の発生量は、光ビームの波長が短いほどその影響が大きい。また、異なる記録層の厚みを有する二つの記録層において同時に球面収差の差を小さくするためには、これらの記録層間距離を短くすることが好ましい。
【００２７】
これに対して、上記の構成によれば、球面収差の影響が大きい記録層（第２の波長に対応する第３の記録層）は内側に配置され、球面収差の影響が小さい記録層（第１の波長に対応する第１および第２の記録層）は外側に配置される。このため、上記複合光記録媒体に対して用いられる光ピックアップでは、対物レンズの共通化によって各記録層において不可避に発生する球面収差を、上記複合光記録媒体に備えられた各記録層に対して記録マークを書き込む、あるいは、読み出すのに支障がないレベルにまで低減することが容易になる。すなわち、光ピックアップにおける対物レンズの共有化が容易になる。
【００２８】
より具体的には、例えば、球面収差を最小にする保護層の厚みが上記第３の記録層に対する保護層の厚み（上記複合光記録媒体の光ビームが入射する面から上記第３の記録層までの距離）と同一になる対物レンズを用いた場合、保護層の厚み誤差に対する球面収差の発生量が大きい第２の波長を有する光ビームにより読み出し、あるいは、書き込みがなされる第３の記録層における保護層の厚み誤差を０にすることが可能になる。また、同時に、第１の記録層、および、第２の記録層に対する保護層の厚み誤差を、該記録層間の距離以下に抑えることが可能になる。
【００２９】
また、上記複合光記録媒体においては、上記第１の記録層および上記第２の記録層は、上記第２の波長に対する反射率が上記第１の波長に対する反射率よりも小さい、波長選択性を有する反射膜により構成されることが好ましい。
【００３０】
上記構成によれば、上記複合光記録媒体に上記第２の波長を有する光ビームが入射するとき（すなわち、第３の記録層に対して記録／再生を行うとき）には、該光ビームが上記第１および第２の記録層により反射され、光ピックアップに入射する強度を減ずることが可能である。
【００３１】
さらに、上記第３の記録層は、上記第１の波長に対する反射率が上記第２の波長に対する反射率よりも小さい、波長選択性を有する反射膜により構成されることが好ましい。
【００３２】
上記構成によれば、上記複合光記録媒体に上記第１の波長を有する光ビームが入射するとき（すなわち、第１または第２の記録層に対して記録／再生を行うとき）には、該光ビームが上記第３の記録層により反射され、光ピックアップに入射する強度を減ずることが可能である。
【００３３】
同じ波長に対応する第１および第２記録層において、第１の記録層の記録／再生時に第２の記録層から反射による問題（もしくは、第２の記録層の記録／再生時に第１の記録層から反射による問題）は、２つの記録層の間に他の波長に対応する第３の記録層を挟み、結果として、２つの記録層の距離を離すことで低減することが可能になる。
【００３４】
これにより、目的の記録層と隣接する記録層により反射された反射光が、フォーカスエラー信号として本来読み取られるべき目的の記録層により反射された反射光に混入するフォーカス制御の問題、および、目的の記録層と隣接する記録層により反射された反射光が、再生信号として本来読み取られるべき目的の記録層により反射された反射光に混入する層間クロストークの問題を軽減するという効果を奏する。
【００３５】
また、上記複合光記録媒体においては、上記三つの記録層は、上記第１の記録層と上記第３の記録層との距離と、上記第２の記録層と上記第３の記録層との距離と、が等しくなるように配置されていることが好ましい。
【００３６】
上記構成によれば、例えば、球面収差を最小にする保護層の厚みが上記第３の記録層に対する保護層の厚み（上記複合光記録媒体の光ビームが入射する面から第３の記録層までの距離）と同一になる対物レンズに対し、第１の記録層、および、第２の記録層に対する保護層の厚み誤差を、第１の記録層と第２の記録層との間の距離の２分の１に抑えることが可能になる。
【００３７】
このため、上記構成によれば、上記複合光記録媒体に備えられた全ての記録層において発生する球面収差の発生量を、同時に許容値以下に抑えることがさらに容易になるという効果を奏する。
【００３８】
また、上記構成によれば、上記対物レンズに対し、上記第１の記録層における保護層の厚み誤差と、上記第２の記録層における保護層の厚み誤差は同一になる。すなわち、上記第１の記録層における球面収差の発生量と上記第２の記録層における球面収差の発生量が同一になる。このため、上記第１の記録層と上記第２の記録層に記録される記録マークのサイズを一様に小さくすることが可能になり、従って、上記第１の記録層と上記第２の記録層において一様に記録密度を高めることが可能になる。
【００３９】
また、上記第１の記録層における記録密度と上記第２の記録層における記録密度を同一にすることにより、上記第１の記録層に対し書き込み、あるいは、読み出しをする際の上記複合光記録媒体の回転速度と、上記第２の記録層に対し書き込み、あるいは、読み出しをする際の上記複合光記録媒体の回転速度とを同一にすることが可能になる。従って、上記第１の記録層と上記第２の記録層に対して連続的に読み出し、あるいは、書き込みを行う際、記録層間の移行時間を短縮することが可能になる。
【００４０】
本発明に係る他の複合光記録媒体は、上記課題を解決するために、第１の波長を有する光ビームにより読み出し、あるいは、書き込みがなされる第１の記録層、および、第２の記録層と、上記第１の波長より短い第２の波長を有する光ビームにより読み出し、あるいは、書き込みがなされる第３の記録層、および、第４の記録層と、を備え、上記四つの記録層は、上記光ビームの入射側から第１の記録層、第３の記録層、第４の記録層、第２の記録層の順に、配置されることを特徴としている。
【００４１】
上記の構成によれば、球面収差の影響が大きい記録層（第２の波長に対応する第３および第４の記録層）は、球面収差の影響が小さい記録層（第１の波長に対応する第１および第２の記録層）の間に配置される。このため、上記複合光記録媒体に対して用いられる光ピックアップでは、対物レンズの共通化によって各記録層において不可避に発生する球面収差を、上記複合光記録媒体に備えられた各記録層に対して記録マークを書き込む、あるいは、読み出すのに支障がないレベルにまで低減することが容易になる。すなわち、光ピックアップにおける対物レンズの共有化が容易になる。
【００４２】
より具体的には、例えば、球面収差を最小にする保護層の厚みが、上記第３の記録層に対する保護層の厚み（上記複合光記録媒体の光ビームが入射する面から第３の記録層までの距離）と上記第４の記録層に対する保護層の厚み（上記複合光記録媒体の光ビームが入射する面から上記第４の記録層までの距離）との平均値と同一になる対物レンズに対し、保護層の厚み誤差に対する球面収差の発生量が大きい第２の波長を有する光ビームにより読み出し、あるいは、書き込みがなされる上記第３の記録層、および、上記第４の記録層に対する保護層の厚み誤差を、該記録層間の距離の２分の１に抑えることが可能になる。また、同時に、上記第１の記録層、および、上記第２の記録層に対する保護層の厚み誤差を、該記録層間距離以下にすることが可能である。
【００４３】
また、この場合、上記第３の記録層における保護層の厚み誤差と、上記第４の記録層における保護層の厚み誤差は同一になる。すなわち、上記第３の記録層における球面収差の発生量と上記第４の記録層における球面収差の発生量が同一になる。このため、上記第３の記録層と上記第４の記録層に記録される記録マークのサイズを一様に小さくすることが可能になり、従って、上記第３の記録層と上記第４の記録層において一様に記録密度を高めることが可能になる。
【００４４】
また、上記第３の記録層における記録密度と上記第４の記録層における記録密度を同一にすることにより、上記第３の記録層に対し書き込み、あるいは、読み出しをする際の上記複合光記録媒体の回転速度と、上記第４の記録層に対し書き込み、あるいは、読み出しをする際の上記複合光記録媒体の回転速度とを同一にすることが可能になる。従って、上記第３の記録層と上記第４の記録層に対して連続的に読み出し、あるいは、書き込みを行う際、記録層間の移行時間を短縮することが可能になる。
【００４５】
また、上記複合光記録媒体においては、上記第１の記録層および上記第２の記録層は、上記第２の波長に対する反射率が上記第１の波長に対する反射率よりも小さい、波長選択性を有する反射膜により構成されることが好ましい。
【００４６】
上記構成によれば、上記複合光記録媒体に上記第２の波長を有する光ビームが入射するとき（すなわち、第３または第４の記録層に対して記録／再生を行うとき）には、該光ビームが上記第１および第２の記録層により反射され、光ピックアップに入射する強度を減ずることが可能である。
【００４７】
また、上記複合光記録媒体においては、上記第３の記録層および上記第４の記録層は、上記第１の波長に対する反射率が上記第２の波長に対する反射率よりも小さい、波長選択性を有する反射膜により構成されることが好ましい。
【００４８】
上記構成によれば、上記複合光記録媒体に上記第１の波長を有する光ビームが入射するとき（すなわち、第１または第２の記録層に対して記録／再生を行うとき）には、該光ビームが上記第３の記録層、あるいは、上記第４の記録層により反射され、光ピックアップに入射する強度を減ずることが可能である。
【００４９】
同じ波長に対応する第１および第２記録層において、第１の記録層の記録／再生時に第２の記録層から反射による問題（もしくは、第２の記録層の記録／再生時に第１の記録層から反射による問題）は、２つの記録層の間に他の波長に対応する第３および第４の記録層を挟み、結果として、２つの記録層の距離を離すことで低減することが可能になる。
【００５０】
これにより、目的の記録層と隣接する記録層により反射された反射光が、フォーカスエラー信号として本来読み取られるべき目的の記録層により反射された反射光に混入するフォーカス制御の問題、および、目的の記録層と隣接する記録層により反射された反射光が、再生信号として本来読み取られるべき目的の記録層により反射された反射光に混入する層間クロストークの問題を軽減するという効果を奏する。
【００５１】
また、上記複合光記録媒体においては、上記四つの記録層は、上記第１の記録層と上記第３の記録層との距離と、上記第２の記録層と上記第４の記録層との距離と、が等しくなるように配置されていることが好ましい。
【００５２】
上記構成によれば、例えば、球面収差を最小にする保護層の厚みが、上記第３の記録層に対する保護層の厚み（上記複合光記録媒体の光ビームが入射する面から第３の記録層までの距離）と上記第４の記録層に対する保護層の厚み（上記複合光記録媒体の光ビームが入射する面から上記第４の記録層までの距離）との平均値と同一になる対物レンズに対し、第１の記録層、および、第２の記録層に対する保護層の厚み誤差を、第１の記録層と第２の記録層との間の距離の２分の１に抑えることが可能になる。
【００５３】
このため、上記構成によれば、上記複合光記録媒体に備えられた全ての記録層において発生する球面収差の発生量を、同時に許容値以下に抑えることがさらに容易になるという効果を奏する。
【００５４】
また、上記構成によれば、上記対物レンズに対し、上記第１の記録層における保護層の厚み誤差と、上記第２の記録層における保護層の厚み誤差は同一になる。すなわち、上記第１の記録層における球面収差の発生量と上記第２の記録層における球面収差の発生量が同一になる。このため、上記第１の記録層と上記第２の記録層に記録される記録マークのサイズを一様に小さくすることが可能になり、従って、上記第１の記録層と上記第２の記録層において一様に記録密度を高めることが可能になる。
【００５５】
また、上記第１の記録層における記録密度と上記第２の記録層における記録密度を同一にすることにより、上記第１の記録層に対し書き込み、あるいは、読み出しをする際の上記複合光記録媒体の回転速度と、上記第２の記録層に対し書き込み、あるいは、読み出しをする際の上記複合光記録媒体の回転速度とを同一にすることが可能になる。従って、上記第１の記録層と上記第２の記録層に対して連続的に読み出し、あるいは、書き込みを行う際、記録層間の移行時間を短縮することが可能になる。
【００５６】
また、上記複合光記録媒体においては、上記第１の記録層の上記光ビームが入射する側に配置された保護層と、上記第２の記録層の上記光ビームが入射する側とは反対側に配置された基板を備え、上記保護層と上記基板の厚みは概ね同一であることが好ましい。
【００５７】
上記構成によれば、上記複合光記録媒体を形成する際、上記基板と上記保護層とを同一の材料により構成することが可能になる。また、上記基盤および上記保護層に記録マークを形成する工程、および、凹凸形状が形成された上記基板および上記保護層上に記録層を構成する反射膜を成膜する工程を共通化することが可能になる。これにより、製造装置の共通化による上記複合光記録媒体の製造コストを低下させることが可能になるという効果を奏する。
【００５８】
本発明に係る光ピックアップは、上記課題を解決するために、上記第１の波長を有する光ビームを出射する光源と、上記第２の波長を有する光ビームを出射する光源と、上記第１の波長を有する光ビーム、および、上記第２の波長を有する光ビームを集光する対物レンズを備え、上記対物レンズにおける、上記第１の波長に対し球面収差を最小にする保護層の厚みは、第１の記録層に対する保護層の厚み（上記複合光記録媒体における光ビームが入射する面から上記第１の記録層までの距離）より大きく、第２の記録層に対する保護層の厚み（上記複合光記録媒体における光ビームが入射する面から上記第２の記録層までの距離）より小さく、上記対物レンズにおける、上記第２の波長に対し球面収差を最小にする保護層の厚みは、第１の記録層に対する保護層の厚み（上記複合光記録媒体における光ビームが入射する面から上記第１の記録層までの距離）より大きく、第２の記録層に対する保護層の厚み（上記複合光記録媒体における光ビームが入射する面から上記第２の記録層までの距離）より小さいことを特徴としている。
【００５９】
上記構成を有する光ピックアップによれば、上記複合光記録媒体に備えられた全ての記録層に対する保護層の厚み誤差を、上記第１の記録層と上記第２の記録層との間の距離以下にすることが可能になり、上記複合光記録媒体に備えられた全ての記録層において発生する球面収差の発生量を、同時に許容値以下に抑えることが容易になるという効果を奏する。
【００６０】
また上記構成を有する光ピックアップによれば、上記第１の記録層と上記第２の記録層とに対する保護層の厚み誤差の差を、該記録層間の距離以下に抑えることが可能である。このため、両記録層において発生する球面収差の量を概ね同一にすることが可能であり、両記録層の記録密度を一様に向上させることが可能である。
【００６１】
本発明に係る光ピックアップにおいては、上記対物レンズは、上記第１の波長に対し球面収差を最小にする保護層の厚みと、上記第２の波長に対し球面収差を最小にする保護層の厚みとが概ね同一である対物レンズであり、上記対物レンズにおける、球面収差を最小にする保護層の厚みは、第３の記録層に対する保護層の厚み（上記複合光記録媒体における光ビームが入射する面から第３の記録層までの距離）と概ね同一であることが好ましい。
【００６２】
上記構成を有する光ピックアップによれば、上記複合光記録媒体において、保護層の厚み誤差に対する球面収差の発生量の大きい第２の波長を有する光ビームによって書き込み、あるいは、読み出しが行われる上記第３の記録層に対する保護層の厚み誤差を０にすることが可能である。また、上記複合光記録媒体において、第１の記録層と第３の記録層との間の距離と、第２の記録層と第３の記録層との間の距離とが同一の場合、上記第1の記録層、および、上記第２の記録層に対する保護層の厚み誤差を、該記録層間の距離の２分の１にすることが可能である。
【００６３】
これにより、上記複合光記録媒体に備えられた全ての記録層において発生する球面収差の発生量を、同時に許容値以下に抑えることがさらに容易になるという効果を奏する。
【００６４】
本発明に係る他の光ピックアップは、上記第１の波長を有する光ビームを出射する光源と、上記第２の波長を有する光ビームを出射する光源と、上記第１の波長を有する光ビーム、および、上記第２の波長を有する光ビームを集光する対物レンズを備え、上記対物レンズにおける、上記第１の波長に対し球面収差を最小にする保護層の厚みは、第１の記録層に対する保護層の厚み（上記複合光記録媒体における光ビームが入射する面から上記第１の記録層までの距離）より大きく、第２の記録層に対する保護層の厚み（上記複合光記録媒体における光ビームが入射する面から上記第２の記録層までの距離）より小さく、上記対物レンズにおける、上記第２の波長に対し球面収差を最小にする保護層の厚みは、第３の記録層に対する保護層の厚み（上記複合光記録媒体における光ビームが入射する面から上記第３の記録層までの距離）より大きく、第４の記録層に対する保護層の厚み（上記複合光記録媒体における光ビームが入射する面から上記第４の記録層までの距離）より小さいことを特徴としている。
【００６５】
上記構成を有する光ピックアップによれば、上記複合光記録媒体において、保護層の厚み誤差に対する球面収差の発生量の大きい第２の波長を有する光ビームによって書き込み、あるいは、読み出しが行われる上記第３の記録層、および、上記第４の記録層に対する保護層の厚み誤差を、該記録層間の距離以下にすることが可能であり、同時に、上記第1の記録層、および、上記第２の記録層に対する保護層の厚み誤差を、該記録層間の距離以下にすることが可能である。
【００６６】
これにより、上記複合光記録媒体に備えられた全ての記録層において発生する球面収差の発生量を、同時に許容値以下に抑えることが容易になるという効果を奏する。
【００６７】
また、上記構成を有する光ピックアップによれば、同一の波長に対応する二つの記録層における保護層の厚み誤差の差を、該記録層間の距離以下に抑えることが可能である。このため、同一波長に対応する記録層において発生する球面収差の量を概ね同一にすることが可能であり、両記録層の記録密度を一様に向上させることが可能である。
【００６８】
本発明に係る光ピックアップにおいては、上記対物レンズにおける、上記第１の波長に対し球面収差を最小にする保護層の厚みは、上記複合光記録媒体における光ビームが入射する面から上記第３の記録層までの距離より大きく、上記複合光記録媒体における光ビームが入射する面から上記第４の記録層までの距離より小さいことが好ましい。
【００６９】
上記構成を有する光ピックアップによれば、例えば、上記四つの記録層が、第１の記録層と第３の記録層との距離と、第２の記録層と第４の記録層との距離と、が等しくなるように配置されている複合光記録媒体に対し、第１の記録層と第２の記録層とに対する保護層の厚み誤差をさらによく一致させることが可能であり、該記録層において発生する球面収差の量をさらに良く一致させることが可能である。
【００７０】
本発明に係る光ピックアップにおいては、上記対物レンズは、上記第１の波長に対し球面収差を最小にする保護層の厚みと、上記第２の波長に対し球面収差を最小にする保護層の厚みとが概ね同一である対物レンズであり、上記対物レンズにおける、球面収差を最小にする保護層の厚みは、第３の記録層に対する保護層の厚み（上記複合光記録媒体における光ビームが入射する面から第３の記録層までの距離）と、第４の記録層に対する保護層の厚み（上記複合光記録媒体における光ビームが入射する面から第４の記録層までの距離）との平均値と概ね同一であることが好ましい。
【００７１】
上記構成を有する光ピックアップによれば、上記複合光記録媒体において、保護層の厚み誤差に対する球面収差の発生量の大きい第２の波長を有する光ビームによって書き込み、あるいは、読み出しが行われる上記第３の記録層、および、上記第４の記録層に対する保護層の厚み誤差を、該記録層間の距離の２分の１にすることが可能である。また、上記複合光記録媒体において、第１の記録層と第３の記録層との間の距離と、第２の記録層と第４の記録層との間の距離と、が同一の場合、上記第1の記録層、および、上記第２の記録層に対する保護層の厚み誤差も、該記録層間の距離の２分の１にすることが可能である。
【００７２】
これにより、上記複合光記録媒体に備えられた全ての記録層において発生する球面収差の発生量を、同時に許容値以下に抑えることがさらに容易になるという効果を奏する。
【００７３】
本発明に係る光記録再生装置は、上記課題を解決するために、上記に記載の何れかの光ピックアップを備えたことを特徴としている。
【００７４】
これにより、上記複合光記録媒体に備えられた全ての記録層において発生する球面収差の発生量を、同時に許容値以下に抑えることが容易になるという効果を奏する。また、上記光記録再生装置においては、光記録媒体が装着された時に、第１の波長の光ビームを用いて、該光記録媒体の厚さ方向の全体にわたるフォーカスエラー信号を生成し、上記フォーカスエラー信号における信号のピークレベルがある閾値以上となる回数と、閾値以下となる回数とをカウントし、双方の数がともに１以上であるか否かにより、装着された光記録媒体が複合光記録媒体であるか否かを判別する構成とすることができる。
【００７５】
上記の構成によれば、装着された光記録媒体に対する上記フォーカスエラー信号は、記録層の存在位置において信号のピークが発生するが、そのピークレベルの異なり具合を見ることによって複合光記録媒体であるか否かを判断できる。また、上記フォーカスエラー信号を生成するに当たって、第１の波長（第２の波長に比べて波長が長い）の光ビームを用いることで、上記フォーカスエラー信号を良好に検出することができる。
【発明の効果】
【００７６】
本発明に係る複合光記録媒体は、以上のように、第１の波長を有する光ビームにより読み出し、あるいは、書き込みがなされる第１の記録層、および、第２の記録層と、上記第１の波長より短い第２の波長を有する光ビームにより読み出し、あるいは、書き込みがなされる第３の記録層と、を備え、上記三つ記録層は、上記光ビームの入射側から第１の記録層、第３の記録層、第２の記録層の順に、配置されることを特徴としている。
【００７７】
あるいは、本発明に係る他の複合光記録媒体は、第１の波長を有する光ビームにより読み出し、あるいは、書き込みがなされる第１の記録層、および、第２の記録層と、上記第１の波長より短い第２の波長を有する光ビームにより読み出し、あるいは、書き込みがなされる第３の記録層、および、第４の記録層と、を備え、上記四つの記録層は、上記光ビームの入射側から第１の記録層、第３の記録層、第４の記録層、第２の記録層の順に、配置されることを特徴としている。
【００７８】
それゆえ、本発明に係る複合光記録媒体においては、保護層の厚み誤差に対する球面収差の発生量が大きい記録層は、保護層の厚み誤差に対する球面収差の発生量が小さい記録層の間に配置される。このため、上記複合光記録媒体に対して用いられる光ピックアップでは、対物レンズの共通化によって各記録層において不可避に発生する球面収差を、該複合光記録媒体に対する情報の記録あるいは再生に支障がないレベルにまで低減することが容易になる。すなわち、光ピックアップにおける対物レンズの共有化が容易になるといった効果を奏する。
【発明を実施するための最良の形態】
【００７９】
〔実施の形態１〕
本発明の一実施形態について図１から図６に基づいて説明すると以下の通りである。
【００８０】
ここで、本発明に係る複合光記録媒体は、種類が異なる複数の記録層を備えたものであるが、これらの記録層における保護層の厚みは、その規格上ほぼ等しいものである。このような複合光記録媒体では、複数の記録層のそれぞれにおいて保護層の厚さが大きく異なる複合光記録媒体（例えば、ＣＤの記録層とＤＶＤの記録層とを備えた複合光記録媒体）、に比べて、それぞれの記録層に対して保護層の厚み誤差に起因する球面収差が小さくなることは明らかである。本発明は、さらに、記録層の配置を工夫することによって、それぞれの記録層に対して保護層の厚み誤差に起因する球面収差をさらに抑制し、光ピックアップにおける対物レンズの共有化を可能とするものである。
【００８１】
また、本発明に係る複合光記録媒体では、種類が異なる記録層のそれぞれにおいて、読み出し、あるいは、書き込みに用いられる光ビームの波長が異なる。また、本発明に係る複合光記録媒体は、３層以上の記録層を備えており、その内、波長の長い光ビームに対応する記録層を２層以上備えているものとする。
【００８２】
本発明に係る複合光記録媒体としては、例えば、ＤＶＤの記録層とＨＤ−ＤＶＤの記録層とを備えた複合光記録媒体が挙げられるが、もちろん、本発明はこれに限定されるものではない。
【００８３】
まず、本実施の形態１に係る複合光記録媒体１の構成について図１を参照して説明する。複合光記録媒体１においては、光の入射側より、保護層１０、記録層１１（第１の記録層）、スペーサ層１２、記録層１３（第３の記録層）、スペーサ層１４、記録層１５（第２の記録層）、および基板１６が、この順序で配置されている。記録層１１および記録層１５は第１の波長λ１に対応しており、記録層１３は第２の波長λ２に対応している。ここで、第１の波長λ１は、第２の波長λ２よりも波長が長い。すなわち、
λ２＜λ１
である。
【００８４】
また、複合光記録媒体１の光の入射側表面から記録層１１までの厚みをt-L1-λ1とし、同様に記録層１５までの厚みをt-L0-λ1、記録層１３までの厚みをt-L0-λ2とすれば、
t-L0-λ1＞t-L0-λ2＞t-L1-λ1
の関係が成り立つ。なお、以降の説明においては、説明の簡略化のために、複合光記録媒体１の光の入射側表面から各記録層までの厚みのことを、その記録層に対する保護層の厚みと表現する。
【００８５】
次に図２、および、図３を用いて上記複合光記録媒体１に対して用いられる光ピックアップに備えられる対物レンズに関して説明する。
【００８６】
上記構成の複合光記録媒体１における上記３つの記録層に対し、記録マークを書き込みあるいは読み出しする際に使用する光ピックアップに備えられる対物レンズには、第１の波長λ1に対する球面収差を最小にする保護層の厚みt1が、
t-L0-λ1＞ｔ１＞t-L1-λ1
となる対物レンズを用いる。
【００８７】
図２は、対物レンズに波長λ１を有する光ビームＬ１を入射させた場合、光ビームＬ１が厚みt1を有する保護層を透過して集光されるとき、集光スポットの球面収差が最も小さくなることを示す概略説明図である。
【００８８】
また、上記対物レンズ１０９は、第２の波長λ２に対して球面収差を最小にする保護層の厚みがt-L0-λ2に近い値であるほど好ましい。その具体的範囲は、
t-L0-λ１＞ｔ２＞t-L1-λ１
である。
【００８９】
図３は、対物レンズ１０９に波長λ2を有する光ビームＬ２を入射させた場合、光ビームＬ２が厚みt2を有する保護層を透過して集光されるとき、集光スポットの球面収差が最も小さくなることを示す概略説明図である。
【００９０】
光ピックアップに光源として備えられる半導体レーザの発振波長は素子温度の変化により瞬間的に変化する（モードホップ現象）。従って、対物レンズを分散が大きい（すなわち、波長に対する屈折率の変動が大きい）材料で形成した場合、対物レンズに入射する光ビームの波長の変動に伴い、集光スポットの位置が該光ビームの光軸方向に変動する。光記録媒体に備えられる記録層の高密度化に伴い、光ビームが短波化されるほど、また、対物レンズの高開口数化されるほど、上記集光スポットにおける位置ずれの影響は大きくなる。
【００９１】
そこで、モードホップ現象に起因する集光スポットの位置ずれを回避するために、光ピックアップに備えられる対物レンズ１０９には、分散の小さい材料で形成された低分散型の対物レンズが用いられることが好ましい。
【００９２】
上記モードホップ現象を考慮した低分散型の対物レンズでは、異なる波長を有する光ビームに対する、球面収差を最小にする保護層の厚みの差は小さくなる。すなわち、上記低分散型の対物レンズを用いることで、結果として、第１の波長λ１に対する球面収差を最小にする保護層の厚みと、第２の波長に対する球面収差を最小にする保護層の厚みとは概ね同一になり、異なる波長に対して対物レンズを共通化するうえで有効である。
【００９３】
すなわち、対物レンズ１０９には、ｔ１＝ｔ２となる対物レンズを用いることがより好ましい。
【００９４】
上記構成の複合光記録媒体１においては、保護層の厚み誤差に対する球面収差の発生量が大きい記録層１３（波長が短い光ビームに対応する記録層）を、保護層の厚み誤差に対する球面収差の発生量が小さい記録層１１と記録層１５と（波長が長い光ビームに対応する記録層）の間に配置したことで、上記各記録層において発生する球面収差の量を抑えることが可能になる。すなわち、上述した対物レンズを共通の対物レンズとして用いれば、各記録層において不可避に発生する球面収差を、全ての記録層に対する情報の記録あるいは再生が可能となるレベルにまで低減することができる。
【００９５】
逆に、複合光記録媒体１とは異なる記録層の配置、例えば、
t-L0-λ1＞t-L1-λ1＞t-L0-λ2
のような保護層の厚みとなる配置や、
t-L0-λ2＞t-L0-λ1＞t-L1-λ1
のような保護層の厚みとなる配置の構成とした場合、上記低分散型の対物レンズ、特に、ｔ１＝ｔ２なる対物レンズを採用することが困難になる。
【００９６】
また、複合光記録媒体１の構成では、第１の波長λ１に対応した記録層を２層とすることで、３層以上の記録層を配置することが可能となり、記録媒体の大容量化も同時に実現することができる。
【００９７】
上述した第１の波長λ1に対する球面収差を最小にする保護層の厚みt1が、
t-L0-λ1＞ｔ１＞t-L1-λ1
となる対物レンズを用いれば、第１の波長に対応する記録層（記録層１１および記録層１５）に対する保護層の厚み誤差の差を該記録層間距離より小さくすることが可能である。さらに、球面収差を最小にする保護層の厚みｔ1が、記録層１１に対する保護層の厚みと記録層１５に対する保護層の厚みとの平均値、すわなち（t-L0-λ1＋t-L1-λ1）／２、に概ね同一になる対物レンズを用いれば、記録層１１と記録層１５に対する保護層の厚み誤差は同一になる。これらの構成により、記録層１１と記録層１５とにおいて発生する球面収差の量を概ね同一にできる。
【００９８】
このとき、記録層１１と記録層１５とに記録される記録マークの大きさを一様に小さくすることが可能であり、両記録層の記録密度を一致させることができる。その結果、これら２つの記録層としてピットやランド・グルーブなどの凹凸形状を形成する工程を共通化できる。
【００９９】
また、記録層１１と記録層１５との記録密度が同一のため、両記録層に記録された情報を再生する際の複合光記録媒体の回転速度を一致させることができる。従って、同波長に対応する記録層を連続して再生する場合、複合光記録媒体２の回転速度を変えることなく、再生する記録層を移行することが可能である。すなわち、同一波長に対応する記録層を連続再生する場合、記録層間の移行時間を短縮することが可能である。
【０１００】
次に、本実施の形態１に係る複合光記録媒体に情報を記録、あるいは、該複合光記録媒体に記録された情報を再生する光記録再生装置に備えられる光ピックアップの概略について、図４を用いて説明する。
【０１０１】
上記光ピックアップは、ホログラムレーザー１００、コリメートレンズ１０１、整形プリズム１０２、ビームスプリッタ１０３、ホログラムレーザー１０４、コリメートレンズ１０５、整形プリズム１０６、波長開口選択フィルター１０７、対物レンズホルダー１０８、および対物レンズ１０９を備えてなる構成である。
【０１０２】
ホログラムレーザー１００は、半導体レーザ１１０（第１の波長を有する光ビームを出射する光源）と、光検出器（図示せず）と、ホログラム素子（図示せず）とを備えている。ホログラムレーザー１００に備えられた半導体レーザは第１の波長λ1の光ビームを出射する。また、光検出器は、複合光記録媒体１の記録層により反射された反射光を検出し、フォーカスサーボ、トラッキングサーボ、および、ＲＦ信号を得る。また、ホログラム素子は、半導体レーザ１１０から出射された光ビームを透過し、複合光記録媒体１により反射された反射光を光検出器へと導く。
【０１０３】
コリメートレンズ１０１および整形プリズム１０２は、第１の波長λ１に対応して設けられた光学系である。すなわち、ホログラムレーザー１００から出射された光ビームは、コリメートレンズ１０１により平行光とされ、整形プリズム１０２により強度分布を調整されたのち、ビームスプリッター１０３を透過し、対物レンズ１０９へと向かう。
【０１０４】
ホログラムレーザー１０４は、半導体レーザ１１１（第２の波長を有する光ビームを出射する光源）と、光検出器（図示せず）と、ホログラム素子（図示せず）とを備えている。ホログラムレーザー１０４に備えられた半導体レーザ１１１は第２の波長λ2の光ビームを出射する。また、光検出器は、複合光記録媒体１の記録層により反射された反射光を検出し、フォーカスサーボ、トラッキングサーボ、および、ＲＦ信号を得る。また、ホログラム素子は、半導体レーザ１１１から出射された光ビームを透過し、複合光記録媒体１により反射された反射光を光検出器へと導く。
【０１０５】
コリメートレンズ１０５および整形プリズム１０６は、第２の波長λ２に対応して設けられた光学系である。すなわち、ホログラムレーザー１０４から出射された光は、コリメートレンズ１０５により平行光とされ、整形プリズム１０６により強度分布を調整されたのち、ビームスプリッター１０３で反射され、対物レンズ１０９へと向かう。
【０１０６】
対物レンズ１０９の光源側には波長開口選択フィルター１０７が備えられている。すなわち、各波長の光が所定の対物レンズの開口数に応じた光束径となって対物レンズ１０９に入射するように、同心円状のパターンを有する波長選択性を持つフィルターが形成されている。
【０１０７】
例えば、波長λ１に対応した開口数をＮＡ１、波長λ２に対応した開口数をＮＡ２とし、
ＮＡ２＞ＮＡ１
となる波長開口選択フィルター１０７を使用した場合、入射する光ビームの波長が波長λ２のとき、波長が波長λ１のときと比べて、より大きい光束径の光が対物レンズ１０９に入射することになる。
【０１０８】
また、対物レンズホルダー１０８は、ホログラムレーザー１００および１０４の光検出器によって検出されるフォーカスサーボ信号およびトラッキングサーボ信号に基づいて、対物レンズ１０９をフォーカス方向ならびにトラッキング方向に駆動するアクチュエータに備えられたものである。
【０１０９】
ホログラムレーザー１００、および、ホログラムレーザー１０４は、光源の切り替え手段（図示せず）により、点灯を制御できるようになっており、複合光記録媒体１に備えられた第１の波長λ1に対応する記録層に光ビームを集光する場合には、ホログラムレーザー１００が点灯し、第２の波長λ2に対応する記録層に光ビームを集光するときには、ホログラムレーザー１０４が点灯する。
【０１１０】
次に、本実施の形態１に係る複合光記録媒体に情報を記録する、あるいは、該複合光記録媒体に記録された情報を再生する光記録再生装置の概略について、図９を用いて説明する。、
光記録再生装置５５は、光ピックアップ５２、送りモータ５１、スピンドルモータ５３、記録媒体検出光センサ５４を備えており、複合光記録媒体１はスピンドルモータ５３に対し、着脱自在に取り付けられる。また、光ピックアップ５２、送りモータ５１、スピンドルモータ５３の動作を制御するドライバとしては、スピンドルモータドライバ５６、送りモータドライバ５７、レーザドライバ５８、フォーカス／ラジアルサーボドライバ５９が備えられている。
【０１１１】
スピンドルモータドライバ５６は、スピンドルモータ５３の回転を制御するドライバである。送りモータドライバ５７は、送りモータ５１を制御するドライバであり、光ピックアップ５２の光記録媒体の半径方向への移動を制御する。レーザドライバ５８は、光ピックアップ５２に備えられた半導体レーザの発光を制御するためのドライバである。フォーカス／ラジアルサーボドライバ５９は、光ピックアップ５２が光記録媒体の記録層にフォーカスする、あるいは、光記録媒体の記録層のトラックにトラッキングするための制御を行うドライバである。
【０１１２】
さらに、光記録再生装置５５は、記録再生信号処理回路６０、コントローラ６１を備えている。記録再生信号処理回路６０は、再生時には、光記録媒体から再生されたアナログ信号をデジタル信号に変換して復調し、記録時には、光記録媒体へ記録するユーザデータを変調し、レーザドライバ５８に出力するための回路である。また、コントローラ６１は、前記ドライバや回路を統括するＣＰＵであり、ホストコンピュータからの入出力信号に応じて各ドライバや回路に指示を送る機能を担っている。
【０１１３】
次に、光記録媒体が光記録再生装置に装着された時の、複合光記録媒体の判別動作について図１０を参照して説明する。
【０１１４】
光記録媒体が光記録再生装置に装着されたか否かは、図９に示した記録媒体検出光センサ５４によって検出される。具体的には、光記録再生装置に備えられた図示しないトレイが装置から引き出された後、再度トレイが収納された段階で図１０の動作が開始される。すなわち、記録媒体検出光センサ５４が光を発し、記録媒体からの反射光の有無を検出する（Ｓ１）ことにより、光記録媒体が光記録再生装置内に収納されたか否かを判断する（Ｓ２）。ここで、光記録媒体が収納されたと判断されなかった場合には動作を終了する。
【０１１５】
一方、光記録再生装置に対して光記録媒体が収納されたと判断された場合は、スピンドルモータ５３により光記録媒体を回転させ、光ピックアップ５２を送りモータ５１により光記録媒体のトラックが読み取れる位置まで移動させる。そして、光ピックアップ５２に備えられた第１の波長の半導体レーザを発光させ、光記録媒体の記録層カウントを行う（Ｓ３）。ここで、記録層カウントとは、光ピックアップ５２に搭載された対物レンズを、対物レンズが搭載されたアクチュエータによりフォーカス方向（図９の上下方向）に揺動し、フォーカスエラー信号に現れる信号のピークの数のうち、ピークレベルが閾値以上の数と、閾値以下のピークの数とを検出することを言う。
【０１１６】
図１１は、図１に示した複合光記録媒体の記録層カウントを行った場合のフォーカスエラー信号を示す概略説明図である。ここで、第３の記録層は第１の波長の光の反射率が低いため、フォーカスエラー信号のピークが閾値より小さくなっている。従って、ピークレベルが閾値以上の数は２、閾値以下のピークの数は１ということになる。次に、ピークの数として閾値以上のものと閾値以下のものとが存在しているか否かを判断し（Ｓ４）、存在していれば収納された光記録媒体が複合光記録媒体であると判断し（Ｓ５）、動作を終了する。また、閾値以上のものと以下のものとの何れかのみしか存在しない場合には通常の光記録媒体であると判断し（Ｓ６）、動作を終了する。
【０１１７】
上記光記録再生装置においては、第１の波長の半導体レーザと第２の波長の半導体レーザとが備えられているが、上記記録層カウントを行うにあたっては第１の波長の半導体レーザを用いることが好ましい。その理由は以下の通りである。
【０１１８】
複合光記録媒体に備えられた第１の記録層と第２の記録層とに光ピックアップの対物レンズにより第１の波長の光ビームを集光する場合、いずれの記録層においても信号の記録、あるいは、再生において問題のない程度に小さな球面収差の発生量となっている。したがって、前記２つの記録層の間に配置された第３の記録層で発生する球面収差も小さいものとなっているため、フォーカスエラー信号は良好に検出することが可能である。
【０１１９】
一方、第２の波長の光ビームを第１の記録層や第２の記録層に集光した場合、球面収差の発生量が大きく、フォーカスエラー信号が急峻なピークを持った信号として得られない可能性がある。したがって、複合光記録媒体の判別に対して、第１の波長の光ビームを使用する場合と、第２の波長の光ビームを使用する場合とを考えると、第１の波長の光ビームを使用する方がより安定して複合光記録媒体の判別を行うことが可能である。
【０１２０】
なお、フォーカスエラー信号における閾値は、実際の複合光記録媒体により実測するか、あるいは、複合光記録媒体の規格における各記録層の反射率と透過率の値から決定すれば良い。
【０１２１】
〔具体例１〕
続いて、本実施の形態１に係る複合光記録媒体の具体的構成を例示する。
【０１２２】
複合光記録媒体１は、第１の波長λ１（６５０ｎｍ）に対応した記録層１１（第１の記録層）、および、記録層１５（第２の記録層）、ならびに第２の波長λ2（４０５ｎｍ）に対応した記録層１３（第３の記録層）を備えており、光の入射側より、保護層１０、記録層１１、スペーサ層１２、記録層１３、スペーサ層１４、記録層１５、基板１６の順に各部材が配置されている。
【０１２３】
上述したとおり、第１の波長λ1と第２の波長λ2との間には、
λ2＜λ1
の関係があり、また、光の入射側表面から記録層１１までの距離をt-L1-λ1、また、同表面から記録層１５までの距離をｔ-L0-λ1、さらに、同表面から記録層１３までの距離をt-L0-λ2とすれば、
t-L0-λ1＞t-L0-λ2＞t-L1-λ1
の関係が成り立っている。
【０１２４】
上記複合光記録媒体１において、保護層１０、および、基板１６は、ポリカーボネートにより形成され、厚みは５７５μｍである。スペーサ層１２は紫外線硬化樹脂で構成され、厚みは２５μｍである。スペーサ層１４は紫外線硬化型シートで構成され、厚みは２５μｍである。
【０１２５】
複合光記録媒体１は再生専用媒体であり、ピット部（記録マーク）は、保護層１０の記録層１１側表面、および、基板１６の記録層１５側表面に形成される。記録層１１は、ピット部が形成された保護層１０の表面上に、例えばＡｌからなる反射膜を成膜することにより構成される。また、記録層１５は、ピット部が形成された基板１６の表面上に、例えばＡｌからなる反射膜を成膜することにより構成される。
【０１２６】
記録層１３の表面には、スペーサ層１４を構成する紫外線硬化型シートが貼り付けられ、該紫外線硬化型シートの入射側表面にピット部が形成される。記録層１３は、ピット部が形成された該紫外線硬化型シートの表面上に成膜された反射膜（例えばＡｌ）により構成される。
【０１２７】
さらに、スペーサ層１２となる紫外線硬化樹脂を接着剤として利用し、保護層１０と記録層１１とからなる部材と、基板１６と記録層１５とスペーサ層１４と記録層１３とからなる部材と、を接着することで複合光記録媒体１が製造される。
【０１２８】
上記複合光記録媒体１において、上記保護層１０と上記基板１６とはともに厚さ５７５μｍのポリカーボネートにより構成されている。このため、上記複合光記録媒体の製造工程において、保護層１０と基板１６とにピット部を形成する工程、および、ピット部が形成された保護層１０と基板１６上に反射膜を成膜する工程を共通化することが可能であり、これにともなって、製造コストを下げることが可能である。
【０１２９】
また、上記複合光記録媒体１において、記録層１３を対応するピット部が形成される上記スペーサ層１４は紫外線硬化型シートにより構成されたが、上記スペーサ層１４は光硬化樹脂により構成することも可能である。この場合、２Ｐ法（Photo Polimerization 法）により、該光硬化樹脂上にピット部を形成することが可能になる。
【０１３０】
実施の形態１に係る複合光記録媒体１において、記録層１１、記録層１３、および、記録層１５を構成する反射膜の厚みは２０ｎｍであり、保護層１０、スペーサ層１２、および、スペーサ層１４と比較して、非常に薄い。従って、実質的に、記録層１１に対する保護層の厚み（t-L1-λ1）は５７５μｍ、記録層１３に対する保護層の厚み（t-L0-λ2）は６００μｍ、記録層１５に対する保護層の厚み（t-L0-λ1）は６２５μｍとなる。
【０１３１】
上記複合光記録媒体１において、スペーサ層１２および１４の厚みは、上記のように２５μｍとしたが、この厚みは、集光スポットにおける球面収差の抑制や、記録層に対する集光スポットのフォーカス制御および再生信号の問題を考慮して設定されている。
【０１３２】
まず、集光スポットにおける球面収差を小さくするためには、スペーサ層の厚みは薄い方が望ましい。例えば、複数の記録層を備えた複合光記録媒体において、記録層間のスペーサ層を厚くすると、該記録層に対する保護層の厚み誤差（より正確には該記録層に対する保護層の厚み誤差の和）が大きくなり、該記録層における球面収差の発生量が無視できなくなる。球面収差が大きくなると再生信号の振幅が低下し、集光スポットにおける光強度が低下するため、光記録媒体に記録マークが形成できなくなるといった問題が生ずる。したがって、球面収差の観点からは、２つの記録層間の距離、すなわち、スペーサ層の厚みは極力薄く設定される方が望ましい。
【０１３３】
一方、スペーサ層を薄くしすぎた場合には、記録層に対するフォーカス制御や、信号再生に際して問題が発生する。ここでフォーカス制御における問題とは、目的の記録層と隣接する記録層により反射された反射光が、フォーカスエラー信号として本来読み取られるべき目的の記録層により反射された反射光に混入することにより、フォーカス制御が困難になるという問題である。また、信号再生における問題とは、目的の記録層と隣接する記録層により反射された反射光が、再生信号として本来読み取られるべき目的の記録層により反射された反射光に混入する、いわゆる層間クロストークの問題である。これらの観点からは、記録層間の距離、すなわち、スペーサ層の厚みは大きい方が好ましい。
【０１３４】
複合光記録媒体においては以上の問題点があるため、隣接する２つの記録層間の距離、すなわち、本願で言うところのスペーサ層の厚みは１０μｍ〜４０μｍとされる場合が多い。
【０１３５】
上記複合光記録媒体１においては、保護層として６００μｍの厚みを想定した対物レンズ１０９を用いた場合（すなわち球面収差が最小となる保護層の厚みt1およびt2がいずれも６００μｍの場合）、第１の波長λ１に対応した記録層１１および１５に対する保護層の厚み誤差は±２５μｍ、また、第２の波長λ２に対応した記録層１３に対する保護層の厚み誤差は０μｍに抑えられる。これは、上記全ての記録層においての球面収差の発生量を十分低く抑えることができるレベルである。
【０１３６】
特に、保護層の厚み誤差に伴う球面収差の発生量は、波長の短い光ほど大きいが、短い波長λ２に対応する記録層、すなわち、記録層１３に対する保護層の厚み誤差を０μｍに抑えることで、球面収差の発生量を低減することに成功している。
【０１３７】
また同時に、２５μｍ以上の記録層間距離を確保することにより、深刻なフォーカス制御の問題、および、層間クロストークの問題を招来することなく、各記録層における球面収差の発生量を抑えることを可能にしている。
【０１３８】
なお、上記においては球面収差が最小となる保護層の厚みt1およびt2がいずれも６００μｍという、本願の最も好適な具体例について説明したが、本願の効果を得るためには実施の形態１で説明したような下記の範囲の
６２５μm＞ｔ１＞５７５μm
６２５μm＞ｔ２＞５７５μm
であれば良い。
【０１３９】
なお、上記説明の複合光記録媒体においては記録層を構成する反射膜としてＡｌを用いたが、本発明はこれに限定されるものではなく、記録層を構成する反射膜としてはＡｕやＡｇを用いても同様の効果を得ることができる。
【０１４０】
なお、本具体例では再生専用の複合光記録媒体の構成に関して述べたが、本発明はこれに限定されるものではなく、追記型や書き換え型の複合光記録媒体も本発明の技術的範囲に含まれる。追記型や書き換え型の複合光記録媒体に備えられる記録層を構成する反射膜の材料としては、有機色素や無機材料などを使用することが可能である。また、いわゆる相変化材料として知られる材料を記録層として使用することもできる。
【０１４１】
また、記録層を構成する反射膜として波長選択性を有する反射膜を用いることも可能である。具体的には、第１の波長λ１に対応する記録層１１と記録層１５とは、第１の波長λ１に対する反射率が、第２の波長λ２に対する反射率よりも大きい反射膜で構成されると良い。この構成は、記録層１３に対して第２の波長λ２で記録／再生する際に、第１の波長λ１に対応する記録層１１および記録層１５からの反射光を防止する上で有効である。
【０１４２】
また、第２の波長λ２に対応する記録層１３は、第２の波長にλ２に対する反射率が、第１の波長λ１に対する反射率よりも大きい反射膜で構成されると良い。この構成は、記録層１１または１５に対して第１の波長λ１で記録／再生する際に、第２の波長λ２に対応する記録層１３からの反射光を防止する上で有効である。
【０１４３】
すなわち、記録層１１を構成する反射膜の、第１の波長λ１に対する反射率をR1-L1-λ1、第２の波長λ２に対する反射率をR2-L1-λ1とし、記録層１５を構成する反射膜の、第１の波長λ１に対する反射率をR1-L0-λ1、第２の波長λ２に対する反射率をR2-L0-λ1とし、記録層１３を構成する反射膜の、第１の波長λ１に対する反射率をR1-L0-λ2、第２の波長λ２に対する反射率をR2-L0-λ2としたとき、
R1-L1-λ1＞R2-L1-λ1
R1-L0-λ1＞R2-L0-λ1
R1-L0-λ2＜R2-L0-λ2
の関係が成り立つ。
【０１４４】
上記複合光記録媒体１に備えられた記録層１１、および、記録層１３を、上述のような波長選択性を有する反射膜で構成することにより、複合光記録媒体１に第１の波長λ１を持つ光ビームを入射するときには、該光ビームが第２の波長λ２に対応する記録層１３により反射されて光ピックアップに受光される光ビームの強度を小さくすることができる。また、複合光記録媒体１に第２の波長λ２を持つ光ビームを入射するときには、該光ビームが第１の波長λ１に対応する記録層１１および１５により反射されて光ピックアップに受光される光ビームの強度を小さくすることが可能である。
【０１４５】
また、同じ波長に対応する記録層において発生する前記問題は、２つの記録層の間に他の波長に対応する記録層を挟み、結果として、２つの記録層の距離を離すことで低減することができる。
【０１４６】
これにより、隣接する記録層間で発生する、フォーカス制御の問題および層間クロストークの問題をさらに軽減することができる。波長選択性を有する反射膜としては、ＳｉＯ２、ＳｉＮ、ＴｉＯ２などの誘電体膜から構成される誘電体多層膜による干渉効果によるものや、ＳｉＨｘ、Ｓｉなどの波長選択性を有する反射膜を使用すれば良い。
【０１４７】
なお、実施の形態１に係る光ピックアップは、上述したように、低分散型の対物レンズを備え、第１の波長λ１に対して球面収差を最小にする保護層の厚みと、第２の波長に対して球面収差を最小にする保護層厚みと、が同一（６００ｎｍ）であったが、本発明は必ずしもこれに限定されるものではない。すなわち、第１の波長λ１に対して球面収差を最小にする保護層の厚みと、第２の波長に対して球面収差を最小にする保護層厚みとは請求項に示した範囲で異なっても良い。
【０１４８】
〔具体例２〕
上記具体例１に係る複合光記録媒体１は、第１の波長λ１に対応する二つの記録層１１（第１の記録層）と、記録層１５（第２の記録層）と、第２の波長λ２に対応する一つの記録層１３（第３の記録層）と、の合計三つの記録層を備えていたが、本発明はこれに限定されるものではなく、上記複合光記録媒体にさらに記録層を追加した複合光記録媒体も本発明の技術的範囲に含まれる。
【０１４９】
本具体例２においては、上記具体例１に係る複合光記録媒体に備えられた三つの記録層に加え、さらに第１の波長λ１に対応するもう一つの記録層を備えた構成について例示する。
【０１５０】
図５に示す複合光記録媒体２０９において、保護層２００、基板２０８はともにポリカーボネートからなり、ともに厚みは５７０μｍである。スペーサ層２０４は紫外線硬化樹脂で構成され、厚みは２０μｍである。スペーサ層２０２とスペーサ層２０６とは紫外線硬化型シートで構成され、厚みはそれぞれ２０μｍである。
【０１５１】
記録層２０１（第１の記録層）、記録層２０５（第２の記録層）、および、記録層２０７（追加された記録層）は第１の波長λ１（６５０ｎｍ）に対応した記録層であり、記録層２０３（第３の記録層）は第２の波長λ２（４０５ｎｍ）に対応した記録層である。
【０１５２】
複合光記録媒体２０９は再生専用媒体であり、保護層２００の記録層２０１側の面、および、基板２０８の記録層２０７側の面には各々ピット部が形成されている。
【０１５３】
また、保護層２００におけるピット部が形成された表面には、例えばＡｌからなる反射膜が成膜されており、該反射膜が記録層２０１を構成している。同様に、基板２０８におけるピット部が形成された表面には、例えばＡｌからなる反射膜が成膜されており、該反射膜が記録層２０７を構成している。
【０１５４】
基板２０８に記録層２０７を形成した後、スペーサ層２０６を構成する紫外線硬化型シートが貼り付けられ、該紫外線硬化型シートの基板２０８に対向する面とは反対側の面にピット部が形成される。記録層２０５は、該紫外線硬化型シートのピット部が形成された表面に成膜された反射膜（例えばＡｌ）により構成される。
【０１５５】
同様に、保護層２００に記録層２０１を形成した後、スペーサ層２０２を構成する紫外線硬化型シートが貼り付けられ、該紫外線硬化型シートの保護層２００に対向する面とは反対側の面にピット部が形成される。記録層２０３は、該紫外線硬化型シートのピット部が形成された表面に成膜された反射膜（例えばＡｌ）により構成される
さらに、スペーサ層２０４となる紫外線硬化樹脂を接着剤として利用し、保護層２００と記録層２０１とスペーサ層２０２と記録層２０３とからなる部材と、基板２０８と記録層２０７とスペーサ層２０６と記録層２０５とからなる部材と、を接着することで複合光記録媒体２０９が作成される。
【０１５６】
上記複合光記録媒体２０９において、記録層２０１、記録層２０３、記録層２０５、および、記録層２０７を構成する反射膜の厚みは２０ｎｍであり、保護層２００、スペーサ層２０２、スペーサ層２０４、および、スペーサ層２０６と比較して、非常に薄い。従って、実質的に、記録層２０１に対する保護層の厚みは５７０μｍ、記録層２０３に対する保護層の厚みは５９０μｍ、記録層２０５に対する保護層の厚みは６１０μｍ、記録層２０７に対する保護層の厚みは６３０μｍとなっている。
【０１５７】
上記複合光記録媒体２０９に対して、第１の波長λ１に対しても、第２の波長λ２に対しても、６００μｍの厚みを持つ保護層を透過したとき球面収差が最小になるよう設計された対物レンズ１０９を用いれば、記録層２０１に対する厚み誤差を−３０μｍ、記録層２０３に対する保護層の厚み誤差を−１０μｍ、記録層２０５に対する保護層の厚み誤差を＋１０μｍ、記録層２０７に対する保護層の厚み誤差を＋３０μｍに抑えることが可能であり、上記全ての記録層においての球面収差の発生量を十分低く抑えることができる。
【０１５８】
特に、保護層の厚み誤差に対する球面収差の発生量の大きい、短い波長である第２の波長λ２に対応する記録層２０３に対する保護層の厚み誤差を−１０μｍに抑えることにより、球面収差の発生量をさらに低減することができる。
【０１５９】
また、上記複合光記録媒体２０９においては、隣接する記録層間の距離を２０μｍ確保している。これにより、深刻なフォーカス制御の問題、および、層間クロストークの問題を招来することなく、各記録層における球面収差の発生量を抑えることを可能にしている。
【０１６０】
なお、上記説明の複合光記録媒体においては記録層を構成する反射膜としてＡｌを用いたが、本発明はこれに限定されるものではなく、記録層を構成する反射膜としてはＡｕやＡｇを用いても同様の効果を得ることができる。
【０１６１】
なお、本具体例では再生専用の複合光記録媒体の構成に関して述べたが、本発明はこれに限定されるものではなく、追記型や書き換え型の複合光記録媒体も本発明の技術的範囲に含まれる。追記型や書き換え型の複合光記録媒体に備えられる記録層を構成する反射膜の材料としては、有機色素や無機材料などを使用することが可能である。また、いわゆる相変化材料として知られる材料を記録層として使用することもできる。
【０１６２】
また、記録層として波長選択性を有する反射膜を使用することにより、集光スポットのフォーカス制御の問題や、層間クロストークの問題をさらに低減することができる点も具体例１と同様である。
【０１６３】
〔具体例３〕
本具体例３は、上記具体例１に係る複合光記録媒体に備えられた三つの記録層に加え、さらに第２の波長λ２に対応するもう一つの記録層を備えた構成について例示する。
【０１６４】
図６に示す複合光記録媒体３０９において、保護層３００、スペーサ層３０２、基板３０８はともにポリカーボネートからなり、それぞれ厚みは１００μｍ、４８０μｍ、５８０μｍである。スペーサ層３０４は紫外線硬化樹脂で構成され、厚みは２０μｍである。スペーサ層３０６は紫外線硬化型シートで構成され、厚みは２０μｍである。
【０１６５】
記録層３０３（第１の記録層）、および、記録層３０７（第２の記録層）は第１の波長λ１（６５０ｎｍ）に対応した記録層であり、記録層３０１（追加された記録層）、および、記録層３０５（第３の記録層）は第２の波長λ２（４０５ｎｍ）に対応した記録層である。
【０１６６】
複合光記録媒体３０９は再生専用媒体であり、スペーサ層３０２の両面、および、基板３０８の記録層３０７側の面には各々ピット部が形成されている。
【０１６７】
また、スペーサ層３０２の両面において、ピット部が形成された表面上に例えばＡｌからなる反射膜が成膜されており、該反射膜が記録層３０１と記録層３０３とを構成している。同様に、基板３０８におけるピット部が形成された表面には例えばＡｌからなる反射膜が成膜されており、該反射膜が記録層３０７を構成している。
【０１６８】
基板３０８に記録層３０７を形成した後、スペーサ層３０６を構成する紫外線硬化型シートが貼り付けられ、該紫外線硬化型シートの基板３０８に対向する面とは反対側の面にピット部が形成される。記録層３０５は、該紫外線硬化型シートのピット部が形成された表面に成膜された反射膜（例えばＡｌ）により構成される。
【０１６９】
スペーサ層３０２に備えられた記録層３０１の表面には、ポリカーボネートからなる保護層３０８が、紫外線硬化樹脂からなる接着剤により接着される。該紫外線硬化樹脂の接着後の厚みは数μｍ程度である。また、スペーサ層３０２に備えられた記録層３０３の表面には、スペーサ層３０４を構成する紫外線硬化樹脂が塗布され、該紫外線硬化樹脂を接着剤として、記録層３０３と記録層３０５とが接着される。
【０１７０】
上記複合光記録媒体３０９において、記録層３０１、記録層３０３、記録層３０５、および、記録層３０７を構成する反射膜の厚みは２０ｎｍであり、保護層３００、スペーサ層３０２、スペーサ層３０４、および、スペーサ層３０６と比較して、非常に薄い。従って、実質的に、記録層３０１に対する保護層の厚みは１００μｍ、記録層３０３に対する保護層の厚みは５８０μｍ、記録層３０５に対する保護層の厚みは６００μｍ、記録層３０７に対する保護層の厚みは６２０μｍとなっている。
【０１７１】
上記複合光記録媒体３０９に対して、第１の波長λ１に対しても、第２の波長λ２に対しても、６００μｍの厚みを持つ保護層を透過したとき球面収差が最小になるよう設計された対物レンズ１０９を用いれば、第１の波長に対応する記録層３０３と記録層３０７に対する保護層の厚み誤差を±２０μｍ、第２の波長に対応する記録層３０５に対する保護層の厚み誤差を０μｍに抑えることが可能であり、上記三つの記録層においての球面収差の発生量を十分低く抑えることができる。
【０１７２】
特に、保護層の厚み誤差に対する球面収差の発生量の大きい、短い波長である第２の波長λ２に対応する記録層３０５に対する保護層の厚み誤差を０μｍに抑えることにより、球面収差の発生量をさらに低減することができる。
【０１７３】
また、上記複合光記録媒体３０９においては、第１の波長λ１に対応する記録層３０３と記録層３０７とに関して、隣接する記録層間の距離を４０μｍ確保している。これにより、フォーカス制御の問題、および、層間クロストークの問題を招来することなく、各記録層における球面収差の発生量を抑えることを可能にしている。
【０１７４】
なお、記録層３０１に関しては、第２の波長λ２に対し１００μｍの厚みを持つ保護層を透過したとき集光スポットにおける球面収差が最小になるよう設計された対物レンズを、複合光記録媒体３０９を再生するための光ピックアップに備えることにより対応することが可能になる。
【０１７５】
なお、上記説明の複合光記録媒体においては記録層を構成する反射膜としてＡｌを用いたが、本発明はこれに限定されるものではなく、記録層を構成する反射膜としてはＡｕやＡｇを用いても同様の効果を得ることができる。
【０１７６】
なお、本具体例では再生専用の複合光記録媒体の構成に関して述べたが、本発明はこれに限定されるものではなく、追記型や書き換え型の複合光記録媒体も本発明の技術的範囲に含まれる。追記型や書き換え型の複合光記録媒体に備えられる記録層を構成する反射膜の材料としては、有機色素や無機材料などを使用することが可能である。また、いわゆる相変化材料として知られる材料を記録層として使用することもできる。
【０１７７】
また、記録層として波長選択性を有する反射膜を使用することにより、集光スポットのフォーカス制御の問題や、層間クロストークの問題をさらに低減することができる点も具体例１と同様である。
【０１７８】
〔実施の形態２〕
本発明の第２の実施の形態について、図７および図８に基づいて説明すれば、以下の通りである。
【０１７９】
はじめに、図７を用いて実施の形態２に係る複合光記録媒体の構成について説明する。
【０１８０】
複合光記録媒体２は、第１の波長λ１（６５０ｎｍ）に対応した記録層２１（第１の記録層）、および、記録層２７（第２の記録層）、ならびに第２の波長λ２（４０５ｎｍ）に対応した記録層２３（第３の記録層）、および、記録層２５（第４の記録層）を備えており、光の入射側より、保護層２０、記録層２１、スペーサ層２２、記録層２３、スペーサ層２４、記録層２５、スペーサ層２６、記録層２７、基板２８の順に各部材が配置されている。
【０１８１】
第１の波長λ１と第２の波長λ２との間には、
λ２＜λ１
の関係があり、また、光の入射側表面から記録層２１までの距離をt-L1-λ1、また、同表面から記録層２７までの距離をt-L0-λ1、さらに、同表面から記録層２３までの距離をt-L1-λ2、同表面から記録層２５までの距離をt-L0-λ2とすれば、
t-L0-λ1＞t-L0-λ2＞t-L1-λ2>t-L1-λ1
の関係が成り立っている。
【０１８２】
上記構成の複合光記録媒体１における上記３つの記録層に対し、記録マークを書き込みあるいは読み出しする際に使用する光ピックアップに備えられる対物レンズには、第１の波長λ1に対する球面収差を最小にする保護層の厚みt1と、第２の波長に対して球面収差を最小にする保護層の厚みt2とが、
t-L0-λ1＞ｔ１＞t-L1-λ1
t-L0-λ2＞ｔ２＞t-L1-λ2
となる対物レンズを用いる。
【０１８３】
上記構成の複合光記録媒体２においては、保護層の厚み誤差に対する球面収差の発生量が大きい記録層２３および２５（波長が短い光ビームに対応する記録層）を、保護層の厚み誤差に対する球面収差の発生量が小さい記録層２１と記録層２７と（波長が長い光ビームに対応する記録層）の間に配置されている。
【０１８４】
上記配置により球面収差の影響が大きい記録層である記録層２３と記録層２５との間の層間距離（すなわち、スペーサ層２４の厚み）を小さくすることが可能になる。このため、上述した対物レンズを共通の対物レンズとして用いれば、各記録層において不可避に発生する球面収差を、全ての記録層に対する情報の記録あるいは再生が可能となるレベルにまで低減することができる。
【０１８５】
また、複合光記録媒体２とは異なる配置、例えば、各記録層に対する保護層の厚みを、
t-L0-λ2＞t-L0-λ1＞t-L1-λ2＞t-L1-λ1
としたり、
t-L0-λ1＞t-L0-λ2＞t-L1-λ1＞t-L1-λ2
とした場合、第２の波長λ２に対応する二つの記録層間距離が大きくなる。その結果、上記記録層において発生する球面収差は、本願発明の構成の場合に対して大きくなる。この場合、記録層における記録密度を下げる、あるいは、光ピックアップにおいて球面収差を補正する手段を備えるなどの対応が必要となる。
【０１８６】
また、本実施の形態２に係る複合光記録媒体に対して用いられる光ピックアップが備える対物レンズは、第１の波長に対して球面収差を最小にする保護層の厚みt1と、第２の波長に対して球面収差を最小にする保護層の厚みt2とは、
t-L0-λ1＞ｔ１＞t-L1-λ1
t-L0-λ2＞ｔ２＞t-L1-λ2
の条件を満たすよう設計された対物レンズである。
【０１８７】
上記対物レンズによれば、同一波長に対応する記録層に対する保護層の厚み誤差の差を、該記録層間距離以下に抑えることが可能である。
【０１８８】
すなわち、記録層２１と記録層２７とに対する保護層の厚み誤差の差は該記録層間の距離以下であり、記録層２１と記録層２７における球面収差の発生量は概ね一致する。このため、記録層２１と記録層２７とに記録される記録マークの大きさを一様に小さくすることが可能であり、両記録層の記録密度を一致させることができる。その結果、これら２つの記録層としてピットやランド・グルーブなどの凹凸形状を形成する工程を共通化できる。
【０１８９】
また、記録層の記録密度が同一のため、両記録層に記録された情報を再生する際の複合光記録媒体の回転速度を一致させることができる。従って、同波長に対応する記録層を連続して再生する場合、複合光記録媒体２の回転速度を変えることなく、再生する記録層を移行することが可能である。すなわち、同一波長に対応する記録層を連続再生する場合、記録層間の移行時間を短縮することが可能である。
【０１９０】
同様に、記録層２３と記録層２５とにおける球面収差の発生量も概ね等しい。このため、記録層２３と記録層２５とに対しても上記と同様の効果を奏する。
【０１９１】
上記複合光記録媒体２においては、記録層２１（第１の記録層）と記録層２３（第３の記録層）との間の距離と、記録層２７（第２の記録層）と記録層２５（第４の記録層）との間の距離が等しくなるよう各記録層を配置することが好ましい。
【０１９２】
上記複合光記録媒体においては、第１の波長λ1に対して球面収差を最小にする保護層の厚み誤差t1が、さらに
t-L0-λ2＞ｔ1＞t-L1-λ2
を満足する対物レンズに対して、記録層２１と記録層２７とに対する保護層の厚み誤差をさらに良く一致させ、該記録層において発生する球面収差の発生量をさらによく一致させることが可能になる。
【０１９３】
またこの場合、スペーサ層２２とスペーサ層２６を共通の部材で構成することが可能になり、上記複合光記録媒体の作成時における、該スペーサ層に記録マークを記録する工程を共通化できる。
【０１９４】
さらに、基板２０と保護層２８とは、ほぼ同一の厚さとすることが好ましい。この場合、基板２０と保護層２８とに同一の材料を使用することが可能となる。その結果、基板２０や保護層２８上にピットやランド・グルーブ等の凹凸形状を形成する工程を共通化することが可能になる。また、凹凸形状が形成された基板２０や保護層２８上に、記録層を構成する膜を成膜するための条件出しや、膜の特性のばらつきを抑制することが可能になる。
【０１９５】
また、この場合、２つの対称な構造体を一体にした構成とすることが可能となるため、各々の構造体の製造プロセスを共通化でき、品質を安定に保つことができる。また、製造装置を共通化することができ、記録媒体の製造コストの低減に有効である。
【０１９６】
本実施の形態２に係る複合光記録媒体に情報を記録、あるいは、該複合光記録媒体に記録された情報を再生する光記録再生装置に備えられる光ピックアップについては、図４と同様の構成の光ピックアップを用いることができる。
【０１９７】
〔具体例４〕
続いて、本実施の形態２に係る複合光記録媒体の具体的構成を例示する。
【０１９８】
本具体例２に係る複合光記録媒体２において、保護層２０、および、基板２８は、ポリカーボネートにより形成され、厚みは５７０μｍである。スペーサ層２４は紫外線硬化樹脂で構成され、厚みは２０μｍである。スペーサ層２２、および、スペーサ層２６は紫外線硬化型シートで構成され、厚みは２０μｍである。
【０１９９】
複合光記録媒体２は再生専用媒体であり、ピット部（記録マーク）は、保護層２０の記録層２１側表面、および、基板２８の記録層２７側表面に形成される。記録層２１は、ピット部が形成された保護層２０の表面上に成膜された例えばＡｌからなる反射膜により構成され、また、記録層２７は、ピット部が形成された基板２８の表面上に成膜された例えばＡｌからなる反射膜により構成される。
【０２００】
記録層２７の表面には、スペーサ層２６を構成する紫外線硬化型シートが貼り付けられ、該紫外線硬化型シートの入射側表面にピット部が形成される。記録層２５は、ピット部が形成された該紫外線硬化型シートの表面上に成膜された反射膜（例えばＡｌ）により構成される。
【０２０１】
同様に、記録層２１の表面には、スペーサ層２２を構成する紫外線硬化型シートが貼り付けられ、該紫外線硬化型シートの入射側表面にピット部が形成される。記録層２３は、ピット部が形成された該紫外線硬化型シートの表面上に成膜された反射膜（例えばＡｌ）により構成される。
【０２０２】
なお、ピット部が形成される上記スペーサ層２２とスペーサ層２６とは紫外線硬化型シートにより構成されたが、該スペーサ層は光硬化樹脂により構成することも可能である。この場合、２Ｐ法（Photo Polimerization 法）により、該光硬化樹脂上にピット部を形成することが可能になる。
【０２０３】
さらに、スペーサ層２４となる紫外線硬化樹脂を接着剤として利用し、保護層２０と記録層２１とスペーサ層２２と記録層２３とからなる部材と、基板２８と記録層２７とスペーサ層２６と記録層２５とからなる部材と、を接着することで複合光記録媒体２が製造される。
【０２０４】
本実施の形態２に係る複合光記録媒体２において、記録層２１、記録層２３、記録層２５、および、記録層２７を構成する反射膜の厚みは２０ｎｍであり、保護層２０、スペーサ層２２、スペーサ層２４、および、スペーサ層２６と比較して、非常に薄い。従って、実質的に、記録層２１に対する保護層の厚み（t-L1-λ1）は５７０μｍ、記録層２３に対する保護層の厚み（t-L1-λ2）は５９０μｍ、記録層２５に対する保護層の厚み（t-L0-λ2）は６１０μｍ、記録層２７に対する保護層の厚み（t-L0-λ1）は６３０μｍとなる。
【０２０５】
また、複合光記録媒体２の全体の厚みは１２００μｍであり、その二分の一の厚み６００μｍが、該複合光記録媒体２の光の入射側表面から、第２の波長λ２に対応する２つの記録層２３および記録層２５の間の位置までの厚みと一致するようにした。
【０２０６】
上記複合光記録媒体２に記録された情報を再生するための光ピックアップに備えられる対物レンズ１０９には、第１の波長λ1（６５０ｎｍ）に対しても、また、第２の波長λ2（４０５ｎｍ）に対しても、厚み６００μｍの保護層を透過したとき、集光スポットにおける球面収差が最小になる対物レンズを用いる。
【０２０７】
上記複合光記録媒体２に対して上記対物レンズ１０９を用いれば、第１の波長λ１に対応した記録層２１および記録層２７に対する保護層の厚み誤差は±３０μｍ、また、第２の波長λ２に対応した記録層２３および記録層２５に対する保護層の厚み誤差は±１０μｍに抑えることが可能であり、上記全ての記録層においての球面収差の発生量を十分低く抑えることができる。
【０２０８】
また、保護層の厚み誤差に伴う球面収差の発生量は、波長の短い光ほど大きいが、上記複合光記録媒体２に対して上記対物レンズ１０９を用いることにより、短い波長λ２に対応する記録層、すなわち、記録層２３および２５に対する保護層の厚み誤差を±１０μｍに抑えることが可能になり、球面収差の発生量をさらに低減することを可能にしている。
【０２０９】
また、上記複合光記録媒体２においては、隣接する記録層間の距離、すなわち記録層間のスペーサ層の厚みは２０μｍである。
【０２１０】
複数の記録層を持つ複合光記録媒体では、フォーカス制御の問題、および、層間クロストークの問題を解消するために、通常、記録層の間の距離は１０μｍから４０μｍとされる場合が多い。これに対して、上記複合光記録媒体２は、２０μｍ以上の記録層間距離を確保することにより、フォーカス制御の問題、および、層間クロストークの問題を招来することなく、各記録層における球面収差の発生量を抑えることを可能にしている。
上記説明の複合光記録媒体においては記録層を構成する反射膜としてＡｌを使用したが、ＡｕやＡｇであっても同様の効果を得ることができる。
【０２１１】
また、記録層として再生専用のものを使用したが、追記型のものや書き換え型のものであっても良い。この場合、記録層を構成する膜の材料としては有機色素や無機材料などの一般的に使用される材料を使用することができる。いわゆる相変化材料として知られるものを記録層として使用することもできる。
【０２１２】
なお、上記説明の複合光記録媒体においては記録層を構成する反射膜としてＡｌを用いたが、本発明はこれに限定されるものではなく、記録層を構成する反射膜としてはＡｕやＡｇを用いても同様の効果を得ることができる。
【０２１３】
なお、本具体例では再生専用の複合光記録媒体の構成に関して述べたが、本発明はこれに限定されるものではなく、追記型や書き換え型の複合光記録媒体も本発明の技術的範囲に含まれる。追記型や書き換え型の複合光記録媒体に備えられる記録層を構成する反射膜の材料としては、有機色素や無機材料などを使用することが可能である。また、いわゆる相変化材料として知られる材料を記録層として使用することもできる。
【０２１４】
また、記録層を構成する反射膜として波長選択性を有する反射膜を用いることも可能である。具体的には、第１の波長λ1に対応する記録層２１および２７は、第１の波長λ1に対する反射率が、第２の波長λ2に対する反射率よりも大きい反射膜で構成されると良い。この構成は、記録層２３または２５に対して第２の波長λ２で記録／再生する際に、第１の波長λ１に対応する記録層２１および記録層２７からの反射光を防止する上で有効である。
【０２１５】
また、第２の波長λ2に対応する記録層２３および２５は、第２の波長にλ２に対する反射率が、第１の波長λ１に対する反射率よりも大きい反射膜で構成されると良い。この構成は、記録層２１または２７に対して第１の波長λ１で記録／再生する際に、第２の波長λ２に対応する記録層２３および２５からの反射光を防止する上で有効である。
【０２１６】
すなわち、記録層２１を構成する反射膜の、第１の波長λ１に対する反射率をR1-L1-λ1、第２の波長λ２に対する反射率をR2-L1-λ1とし、記録層２３を構成する反射膜の、第１の波長λ１に対する反射率をR1-L1-λ2、第２の波長λ２に対する反射率をR2-L1-λ2とし、記録層２５を構成する反射膜の、第１の波長λ１に対する反射率をR1-L0-λ2、第２の波長λ２に対する反射率をR2-L0-λ2、記録層２７を構成する反射膜の、第１の波長λ１に対する反射率をR1-L0-λ1、第２の波長λ２に対する反射率をR2-L0-λ1としたとき、
R1-L1-λ1＞R2-L1-λ1    
R1-L1-λ2＜R2-L1-λ2    
R1-L0-λ2＜R2-L0-λ2    
R1-L0-λ1＞R2-L0-λ1    
の関係が成り立つ。
【０２１７】
上記複合光記録媒体２に備えられた各記録層を、上記波長選択性を有する反射膜で構成することにより、複合光記録媒体２に第１の波長λ１を持つ光ビームを入射するときには、該光ビームが第２の波長λ２に対応する記録層２３および２５により反射されて光ピックアップに受光される光ビームの強度を小さくすることが可能である。また、複合光記録媒体２に第２の波長λ２を持つ光ビームを入射するときには、該光ビームが第１の波長λ１に対応する記録層２１および２７により反射されて光ピックアップに受光される光ビームの強度を小さくすることが可能である。
【０２１８】
また、同じ第１の波長λ１に対応する記録層２１および２７において発生する前記問題は、これら２つの記録層の間に第２の波長λ2に対応する記録層２３および２５を挟み、結果として、記録層２１および２７の距離を離すことで低減することができる。
【０２１９】
これにより、隣接する記録層間で発生する、フォーカス制御の問題および層間クロストークの問題をさらに軽減することができる。
【０２２０】
波長選択性を有する反射膜としては、ＳｉＯ２、ＳｉＮ、ＴｉＯ２などの誘電体膜から構成される誘電体多層膜による干渉効果によるものや、ＳｉＨｘ、Ｓｉなどの波長選択性を有する反射膜を使用すれば良い。
【０２２１】
なお、実施の形態２に係る光ピックアップは、上述したように、低分散型の対物レンズを備え、第１の波長λ１に対して球面収差を最小にする保護層の厚みと、第２の波長に対して球面収差を最小にする保護層厚みと、が同一（６００ｎｍ）であったが、本発明は必ずしもこれに限定されるものではない。すなわち、第１の波長λ１に対して球面収差を最小にする保護層の厚みと、第２の波長に対して球面収差を最小にする保護層厚みとは請求項に示した範囲で異なっても良い。
【０２２２】
〔具体例５〕
上記具体例４に係る複合光記録媒体２は、第１の波長λ１に対応する二つの記録層と、第２の波長に対応する二つの記録層を備えていたが、本発明はこれに限定されるものではなく、上記複合光記録媒体にさらに記録層を追加した複合光記録媒体も本発明の技術的範囲に含まれる。
【０２２３】
本具体例５においては、上記具体例１に係る複合光記録媒体に備えられた四つの記録層に加え、さらに第２の波長に対応する記録層を備えた構成について例示する。
【０２２４】
図８に示す複合光記録媒体５１１において、保護層５００、スペーサ層５０２、基板５１０はともにポリカーボネートからなり、それぞれ厚みは１００μｍ、４７０μｍ、５７０μｍである。スペーサ層５０６は紫外線硬化樹脂で構成され、厚みは２０μｍである。スペーサ層５０４とスペーサ層５０８とは紫外線硬化型シートで構成され、厚みはそれぞれ２０μｍである。
【０２２５】
記録層５０３（第１の記録層）、および、記録層５０９（第２の記録層）は第１の波長λ１（６５０ｎｍ）に対応した記録層であり、記録層５０１（追加された記録層）、記録層５０５（第３の記録層）、および、記録層５０７（第４の記録層）は第２の波長λ２（４０５ｎｍ）に対応した記録層である。
【０２２６】
複合光記録媒体５１１は再生専用媒体であり、スペーサ層５０２の両面、および、基板５１０の記録層５０９側の面には各々ピット部が形成されている。
【０２２７】
また、スペーサ層５０２の両面において、ピット部が形成された表面上に例えばＡｌからなる反射膜が成膜されており、該反射膜が記録層５０１と記録層５０３とを構成している。同様に、基板５１０におけるピット部が形成された表面には例えばＡｌからなる反射膜が成膜されており、該反射膜が記録層５０９を構成している。
【０２２８】
基板５１０に記録層５０９を形成した後、スペーサ層５０８を構成する紫外線硬化型シートが貼り付けられ、該紫外線硬化型シートの基板５１０に対向する面とは反対側の面にピット部が形成される。記録層５０７は、該紫外線硬化型シートのピット部が形成された表面に成膜された反射膜（例えばＡｌ）により構成される。
【０２２９】
スペーサ層５０２に備えられた記録層５０１の表面には、ポリカーボネートからなる保護層５００が、紫外線硬化樹脂からなる接着剤により接着される。該紫外線硬化樹脂の接着後の厚みは数μｍ程度である。
【０２３０】
また、スペーサ層５０２に備えられた記録層５０３の表面には、スペーサ層５０４を構成する紫外線硬化型シートが貼り付けられ、該紫外線硬化型シートの記録層５０３に対向する面とは反対側の面にピット部が形成される。記録層５０５は、該紫外線硬化型シートのピット部が形成された表面に成膜された反射膜（例えばＡｌ）により構成される。
【０２３１】
記録層５０５の表面にはスペーサ層５０６を構成する紫外線硬化樹脂が塗布され、該紫外線硬化樹脂を接着剤として、記録層５０５と記録層５０７が接着される。
【０２３２】
上記複合光記録媒体５１０において、記録層５０１、記録層５０３、記録層５０５、５０７、および、記録層５０９を構成する反射膜の厚みは２０ｎｍであり、保護層５００、スペーサ層５０２、スペーサ層５０４、スペーサ層５０６、および、スペーサ層５０８と比較して、非常に薄い。従って、実質的に、記録層５０１に対する保護層の厚みは１００μｍ、記録層５０３に対する保護層の厚みは５７０μｍ、記録層３０５に対する保護層の厚みは５９０μｍ、記録層５０７に対する保護層の厚みは６１０μｍ、記録層５０９に対する保護層の厚みは６３０μｍとなっている。
【０２３３】
また、複合光記録媒体５１１の全体の厚みは１２００μｍであり、その二分の一の厚み６００μｍが、光記録媒体の光の入射側表面から、第２の波長λ２に対応する２つの記録層５０５、記録層５０７の間の位置までの厚みと一致するようにした。
【０２３４】
上記複合光記録媒体５１０に対して、第１の波長λ１に対しても、第２の波長λ２に対しても、６００μｍの厚みを持つ保護層を透過したとき球面収差が最小になるよう設計された対物レンズ１０９を用いれば、第１の波長に対応する記録層５０３、および、記録層５０９に対する保護層の厚み誤差を±３０μｍ、第２の波長に対応する記録層５０５、および、記録層５０７に対する保護層の厚み誤差を±１０μｍに抑えることが可能であり、上記四つの記録層においての球面収差の発生量を十分低く抑えることができる。
【０２３５】
特に、保護層の厚み誤差に対する球面収差の発生量の大きい、短い波長である第２の波長λ２に対応する記録層５０５および記録層５０７に対する保護層の厚み誤差を±１０μｍに抑えることにより、球面収差の発生量をさらに低減する効果を奏している。
【０２３６】
また、上記複合光記録媒体５１０においては、記録層５０３、記録層５０５、記録層５０７、および、記録層５０９に関して、隣接する記録層間の距離を２０μｍ確保している。これにより、フォーカス制御の問題、および、層間クロストークの問題を招来することなく、各記録層における球面収差の発生量を抑えることを可能にしている。
【０２３７】
なお、記録層５０１に関しては、第２の波長λ２に対し１００μｍの厚みを持つ保護層を透過したとき集光スポットにおける球面収差が最小になるよう設計された対物レンズを、複合光記録媒体５１０を再生するための光ピックアップに別途備えることにより対応することが可能になる。
【０２３８】
なお、具体例５においても、記録層を構成する反射膜としてＡｌを用いたが、本発明はこれに限定されるものではなく、記録層を構成する反射膜としてはＡｕやＡｇを用いても同様の効果を得ることができる。
【０２３９】
なお、本具体例では再生専用の複合光記録媒体の構成に関して述べたが、本発明はこれに限定されるものではなく、追記型や書き換え型の複合光記録媒体も本発明の技術的範囲に含まれる。追記型や書き換え型の複合光記録媒体に備えられる記録層を構成する反射膜の材料としては、有機色素や無機材料などを使用することが可能である。また、いわゆる相変化材料として知られる材料を記録層として使用することもできる。
【０２４０】
本発明は上述した各実施の形態に限定されるものではなく、請求項に示した範囲で種々の変更が可能である。すなわち、請求項で示した範囲で適宜変更した技術的手段を組み合わせて得られる実施形態についても本発明の技術的範囲に含まれる。
【産業上の利用可能性】
【０２４１】
本発明は、異なる種類の記録層を有する複合光記録媒体において、該複合光記録媒体に記録あるいは再生するための光ピックアップに備えられる対物レンズを各記録層で共通化できる構成を提供できるものであり、具体的には、ＤＶＤの記録層とＨＤ−ＤＶＤの記録層とを複合した複合光記録媒体等において利用することが可能である。
【図面の簡単な説明】
【０２４２】
【図１】本発明に係る実施の形態を示すものであり、第１の波長に対応する二つの記録層と、第２の波長に対応する一つの記録層を備えた複合光記録媒体の構成を示す構成図である。
【図２】本発明に係る実施の形態を示すものであり、対物レンズの設計時に定まる、球面収差を最小にする保護層の厚みについて説明するための説明図である。
【図３】本発明に係る実施の形態を示すものであり、対物レンズの設計時に定まる、球面収差を最小にする保護層の厚みについて説明するための説明図である。
【図４】本発明に係る実施の形態を示すものであり、複合光記録媒体に情報を記録、あるいは、複合光記録媒体に記録された情報を再生するための光ピックアップの構成を示す構成図である。
【図５】本発明に係る実施の形態を示すものであり、第１の波長に対応する三つの記録層と、第２の波長に対応する一つの記録層を備えた複合光記録媒体の構成を示す構成図である。
【図６】本発明に係る実施の形態を示すものであり、第１の波長に対応する二つの記録層と、第２の波長に対応する二つの記録層を備えた複合光記録媒体の構成を示す構成図である。
【図７】本発明に係る実施の形態を示すものであり、第１の波長に対応する二つの記録層と、第２の波長に対応する二つの記録層を備えた複合光記録媒体の構成を示す構成図である。
【図８】本発明に係る実施の形態を示すものであり、第１の波長に対応する二つの記録層と、第２の波長に対応する三つの記録層を備えた複合光記録媒体の構成を示す構成図である。
【図９】本発明に係る実施の形態を示すものであり、複合光記録媒体に記録、あるいは、再生する光記録再生装置の構成図である。
【図１０】本発明に係る実施の形態を示すものであり、光記録再生装置における複合光記録媒体の判別方法を示す動作フロー図である。
【図１１】図１に示した複合光記録媒体の記録層カウントを行った場合のフォーカスエラー信号を示す概略説明図である。
【符号の説明】
【０２４３】
１          複合光記録媒体
１０          保護層
１１          記録層（第１の記録層）
１２          スペーサ層
１３          記録層（第３の記録層）
１４          スペーサ層
１５          記録層（第２の記録層）
１６          基板
２          複合光記録媒体
２０          保護層
２１          記録層（第１の記録層）
２２          スペーサ層
２３          記録層（第３の記録層）
２４          スペーサ層
２５          記録層（第４の記録層）
２６          スペーサ層
２７          記録層（第２の記録層）
２８          基板
５１          送りモータ
５２          光ピックアップ
５３          スピンドルモータ
５４          記録媒体検出光センサ
５５          光記録再生装置
１００、１０４  ホログラムレーザー
１０１、１０５  コリメートレンズ
１０２、１０６  整形プリズム
１０３          光ビームスプリッタ
１０７          波長開口選択フィルター
１０９          対物レンズ
１１０          半導体レーザ（第１の波長を有する光ビームを出射する光源）
１１１          半導体レーザ（第２の波長を有する光ビームを出射する光源）
【図１】
0004447574.tif 000004
【図２】
0004447574.tif 000005
【図３】
0004447574.tif 000006
【図４】
0004447574.tif 000007
【図５】
0004447574.tif 000008
【図６】
0004447574.tif 000009
【図７】
0004447574.tif 000010
【図８】
0004447574.tif 000011
【図９】
0004447574.tif 000012
【図１０】
0004447574.tif 000013
【図１１】
0004447574.tif 000014